(57)【要約】  本出願の実施例はデータ伝送方法、アクセスネットワーク装置、端末装置とネットワークエンティティを提供する。該方法は、第一のアクセスネットワーク装置が端末装置へ物理ダウンリンク制御チャネルを送信し、該物理ダウンリンク制御チャネルに該端末装置のダウンリンクデータのスケジューリング情報が含まれ、該第一のアクセスネットワーク装置がアクセスネットワーク装置セット内のいずれかのアクセスネットワーク装置であり、該アクセスネットワーク装置セットが少なくとも一つのアクセスネットワーク装置を含み、且つ該少なくとも一つのアクセスネットワーク装置のカバレッジ内で該端末装置がハンドオーバーせずに移動することができることと、該第一のアクセスネットワーク装置が該端末装置へ該ダウンリンクデータを送信することとを含む。本出願の実施例では、端末装置は上位層シグナリングの接続を復元せずにダウンリンクデータを受信することができ、これによりシステム効率が向上し、端末装置の電力消費が低減される。
2019525538.tif 000002
【特許請求の範囲】
【請求項１】
データ伝送方法であって、
第一のアクセスネットワーク装置が端末装置へ物理ダウンリンク制御チャネルを送信し、前記物理ダウンリンク制御チャネルに前記端末装置のダウンリンクデータのスケジューリング情報が含まれ、前記第一のアクセスネットワーク装置が前記アクセスネットワーク装置セット内のいずれかのアクセスネットワーク装置であり、前記アクセスネットワーク装置セットが少なくとも一つのアクセスネットワーク装置を含み、且つ前記少なくとも一つのアクセスネットワーク装置のカバレッジ内で前記端末装置がハンドオーバーせずに移動することができることと、
前記第一のアクセスネットワーク装置が前記端末装置へ前記ダウンリンクデータを送信することとを含む、前記データ伝送方法。
【請求項２】
前記第一のアクセスネットワーク装置が前記端末装置へ前記ダウンリンクデータを送信する前に、前記方法はさらに、
前記第一のアクセスネットワーク装置がネットワークエンティティから送信された前記ダウンリンクデータを受信することを含むことを特徴とする
請求項１に記載の方法。
【請求項３】
前記ネットワークエンティティはコアネットワーク装置であることを特徴とする
請求項２に記載の方法。
【請求項４】
前記ネットワークエンティティは前記アクセスネットワーク装置セット内の第二のアクセスネットワーク装置であることを特徴とする
請求項２に記載の方法。
【請求項５】
前記方法はさらに、
前記第一のアクセスネットワーク装置がネットワークエンティティから送信されたリソース配置情報を受信し、前記リソース配置情報が、前記端末装置がアップリンクデータを送信するために用いられることと、
前記第一のアクセスネットワーク装置が前記端末装置へ前記リソース配置情報を送信することとを含むことを特徴とする
請求項１−４のいずれか一項に記載の方法。
【請求項６】
前記第一のアクセスネットワーク装置が前記端末装置へ前記リソース配置情報を送信することは、
前記第一のアクセスネットワーク装置が前記ダウンリンクデータ又は前記物理ダウンリンク制御チャネルによって前記端末装置へ前記リソース配置情報を送信することを含むことを特徴とする
請求項５に記載の方法。
【請求項７】
前記方法はさらに、
前記第一のアクセスネットワーク装置が前記端末装置から送信されたアップリンクデータを受信することと、
前記第一のアクセスネットワーク装置が前記第一のアクセスネットワーク装置セット内の他のアクセスネットワーク装置へ第一の指示情報を送信し、前記第一の指示情報が前記端末装置へのダウンリンクデータの送信を停止することを示すことに用いられることとを含むことを特徴とする
請求項５又は６に記載の方法。
【請求項８】
前記方法はさらに、
前記第一のアクセスネットワーク装置が前記端末装置から送信されたアップリンクデータを受信することと、
前記第一のアクセスネットワーク装置がネットワークエンティティへ第二の指示情報を送信し、前記第二の指示情報が、前記第一のアクセスネットワーク装置のみへ後続のダウンリンクデータを送信するようにネットワークエンティティに指示することに用いられ、ここで、端末に送信されるダウンリンクデータが前記ネットワークエンティティからのものであり、又は前記ネットワークエンティティを経由するものであることとを含むことを特徴とする
請求項５又は６に記載の方法。
【請求項９】
前記リソース配置情報は前記アップリンクデータの専用リソース及び／又はアクセスシーケンスを含むことを特徴とする
請求項５−８のいずれか一項に記載の方法。
【請求項１０】
前記第一のアクセスネットワーク装置が端末装置へ物理ダウンリンク制御チャネルを送信する前に、前記方法はさらに、
前記第一のアクセスネットワーク装置が前記物理ダウンリンク制御チャネルの特徴情報を確定することと、
前記第一のアクセスネットワーク装置が前記端末装置へ前記特徴情報を送信し、前記特徴情報が前記物理ダウンリンク制御チャネルを受信するように前記端末装置に指示することに用いられることとを含むことを特徴とする
請求項１−９のいずれか一項に記載の方法。
【請求項１１】
前記特徴情報は、前記第一のアクセスネットワーク装置が前記端末装置と上位層シグナリング接続をしてある時に配置されるものであることを特徴とする
請求項１０に記載の方法。
【請求項１２】
前記第一のアクセスネットワーク装置が端末装置へ物理ダウンリンク制御チャネルを送信する前に、前記方法はさらに、
前記第一のアクセスネットワーク装置がネットワークエンティティから送信された前記物理ダウンリンク制御チャネルの特徴情報を受信することと、
前記第一のアクセスネットワーク装置が前記端末装置へ前記特徴情報を送信し、前記特徴情報が前記物理ダウンリンク制御チャネルを受信するように前記端末装置に指示することに用いられることとを含むことを特徴とする
請求項１−９のいずれか一項に記載の方法。
【請求項１３】
前記特徴情報は前記ネットワークエンティティによって配置されることを特徴とする
請求項１２に記載の方法。
【請求項１４】
前記方法はさらに、
前記第一のアクセスネットワーク装置がシステム情報によって、前記システム情報に含まれる前記物理ダウンリンク制御チャネルの特徴情報を前記端末装置へ送信することを含むことを特徴とする
請求項１−９のいずれか一項に記載の方法。
【請求項１５】
前記特徴情報は時間領域リソース情報、周波数領域リソース情報、サブ搬送波間隔情報及び／又はサブフレーム構造情報を含むことを特徴とする
請求項１０−１４のいずれか一項に記載の方法。
【請求項１６】
前記スケジューリング情報は前記端末装置に対応する無線ネットワーク一時識別子（ＲＮＴＩ）によりスクランブルされたスケジューリング情報であり、前記ＲＮＴＩが前記アクセスネットワーク装置セット内の他のアクセスネットワーク装置の物理ダウンリンク制御チャネルに含まれるスクランブルスケジューリング情報のＲＮＴＩと同じであり、且つ前記ＲＮＴＩが、前記第一のアクセスネットワーク装置が前記端末装置と上位層シグナリング接続をしてある時に配置されるものであり、又は前記ＲＮＴＩがネットワークエンティティによって予め配置されて前記アクセスネットワーク装置セット内の各アクセスネットワーク装置に送信されたものであり、
前記第一のアクセスネットワーク装置が前記端末装置へ前記ダウンリンクデータを送信する前に、前記方法はさらに、
前記第一のアクセスネットワーク装置が前記端末装置へ前記ＲＮＴＩを送信し、前記ＲＮＴＩが、前記端末装置が前記スケジューリング情報を復調するために用いられることを含むことを特徴とする
請求項１−１５のいずれか一項に記載の方法。
【請求項１７】
前記スケジューリング情報はＲＮＴＩによりスクランブルされたスケジューリング情報であり、
前記方法はさらに、
前記第一のアクセスネットワーク装置が前記端末装置へシステム情報を送信し、前記システム情報に前記ＲＮＴＩが含まれ、前記ＲＮＴＩが、前記端末装置が前記スケジューリング情報を復調するために用いられることを含むことを特徴とする
請求項１−１５のいずれか一項に記載の方法。
【請求項１８】
前記ダウンリンクデータはユーザプレーンデータ又は制御プレーンデータであることを特徴とする
請求項１−１７のいずれか一項に記載の方法。
【請求項１９】
データ伝送方法であって、
端末装置が第一のアクセスネットワーク装置から送信された物理ダウンリンク制御チャネルを受信し、前記物理ダウンリンク制御チャネルに前記端末装置のダウンリンクデータのスケジューリング情報が含まれ、前記第一のアクセスネットワーク装置が前記アクセスネットワーク装置セットに属し、前記アクセスネットワーク装置セットが少なくとも一つのアクセスネットワーク装置を含み、且つ前記端末装置が前記少なくとも一つのアクセスネットワーク装置のカバレッジ内でハンドオーバーせずに移動することができることと、
前記端末装置が前記スケジューリング情報に基づき、前記第一のアクセスネットワーク装置から送信された前記ダウンリンクデータを受信することとを含む、前記データ伝送方法。
【請求項２０】
前記方法はさらに、
前記端末装置が前記第一のアクセスネットワーク装置から送信された前記リソース配置情報を受信し、前記リソース配置情報が、前記端末装置がアップリンクデータを送信するために用いられることと、
前記端末装置が前記リソース配置情報に基づき、前記第一のアクセスネットワーク装置へ前記アップリンクデータを送信することとを含むことを特徴とする
請求項１９に記載の方法。
【請求項２１】
前記端末装置が前記第一のアクセスネットワーク装置から送信された前記リソース配置情報を受信することは、
前記端末装置が前記ダウンリンクデータ又は前記物理ダウンリンク制御チャネルに含まれる前記リソース配置情報を受信することを含むことを特徴とする
請求項２０に記載の方法。
【請求項２２】
前記リソース配置情報は前記アップリンクデータの専用リソース及び／又はアクセスシーケンスを含むことを特徴とする
請求項２０又は２１に記載の方法。
【請求項２３】
前記第一のアクセスネットワーク装置から送信された前記ダウンリンクデータを受信する前に、前記方法はさらに、
前記端末装置が前記第一のアクセスネットワーク装置から送信された無線ネットワーク一時識別子（ＲＮＴＩ）を受信することと、
前記端末装置が前記ＲＮＴＩに基づき、前記スケジューリング情報を復調することとを含むことを特徴とする
請求項１９−２２のいずれか一項に記載の方法。
【請求項２４】
前記端末装置が前記第一のアクセスネットワーク装置から送信されたＲＮＴＩを受信することは、
前記端末装置が前記第一のアクセスネットワーク装置から送信されたシステム情報を受信し、前記システム情報に前記ＲＮＴＩが含まれることを含むことを特徴とする
請求項２３に記載の方法。
【請求項２５】
前記方法はさらに、
前記端末装置が前記第一のアクセスネットワーク装置の特徴情報を受信することを含み、
ここで、前記端末装置が第一のアクセスネットワーク装置から送信された物理ダウンリンク制御チャネルを受信することは、
前記端末装置が前記特徴情報に基づき、前記第一のアクセスネットワーク装置から送信された物理ダウンリンク制御チャネルを受信することを含むことを特徴とする
請求項１９−２４のいずれか一項に記載の方法。
【請求項２６】
前記端末装置が前記第一のアクセスネットワーク装置の特徴情報を受信することは
前記端末装置が前記第一のアクセスネットワーク装置から送信されたシステム情報を受信し、前記システム情報に前記第一のアクセスネットワーク装置の特徴情報が含まれることを含むことを特徴とする
請求項２５に記載の方法。
【請求項２７】
前記特徴情報は時間領域リソース情報、周波数領域リソース情報、サブ搬送波間隔情報及び／又はサブフレーム構造情報を含むことを特徴とする
請求項２５又は２６に記載の方法。
【請求項２８】
前記ダウンリンクデータはユーザプレーンデータ又は制御プレーンデータであることを特徴とする
請求項１９−２７のいずれか一項に記載の方法。
【請求項２９】
データ伝送方法であって、
ネットワークエンティティがアクセスネットワーク装置セットを確定し、前記アクセスネットワーク装置セットが少なくとも一つのアクセスネットワーク装置を含み、且つ前記少なくとも一つのアクセスネットワーク装置のカバレッジ内で端末装置がハンドオーバーせずに移動することができることと、
前記アクセスネットワーク装置が前記ダウンリンクデータを前記端末装置に送信するように、前記ネットワークエンティティがアクセスネットワーク装置セット内のアクセスネットワーク装置へダウンリンクデータを送信することとを含む、前記データ伝送方法。
【請求項３０】
前記ネットワークエンティティはコアネットワーク装置であり、
ここで、前記ネットワークエンティティが前記アクセスネットワーク装置セット内のアクセスネットワーク装置へ前記ダウンリンクデータを送信することは、
前記コアネットワーク装置が前記少なくとも一つのアクセスネットワーク装置における各アクセスネットワーク装置へ前記ダウンリンクデータを送信することを含むことを特徴とする
請求項２９に記載の方法。
【請求項３１】
前記ネットワークエンティティは前記アクセスネットワーク装置セット内の第二のアクセスネットワーク装置であり、
ここで、前記ネットワークエンティティがアクセスネットワーク装置セット内のアクセスネットワーク装置へ前記ダウンリンクデータを送信することは、
前記第二のアクセスネットワーク装置が前記アクセスネットワーク装置セット内の前記第二のアクセスネットワーク装置以外の全てのアクセスネットワーク装置へ前記ダウンリンクデータを送信することを含むことを特徴とする
請求項２９に記載の方法。
【請求項３２】
前記方法はさらに、
前記第二のアクセスネットワーク装置が前記端末装置へ物理ダウンリンク制御チャネルを送信し、前記物理ダウンリンク制御チャネルに前記端末装置のダウンリンクデータのスケジューリング情報が含まれることと、
前記第二のアクセスネットワーク装置が前記端末装置へ前記ダウンリンクデータを送信することとを含むことを特徴とする
請求項３１に記載の方法。
【請求項３３】
前記方法はさらに、
前記ネットワークエンティティが前記アクセスネットワーク装置セット内の第一のアクセスネットワーク装置から送信された指示情報を受信し、前記指示情報が前記第二のアクセスネットワーク装置のみへ後続のダウンリンクデータを送信するようにネットワークエンティティに指示することに用いられることと、
前記ネットワークエンティティが前記第一のアクセスネットワーク装置のみへ後続のダウンリンクデータを送信することとを含むことを特徴とする
請求項２９−３２のいずれか一項に記載の方法。
【請求項３４】
前記方法はさらに、
前記ネットワークエンティティが前記アクセスネットワーク装置セット内のアクセスネットワーク装置によって前記端末装置へリソース配置情報を送信し、前記リソース配置情報が、前記端末装置がアップリンクデータを送信するために用いられることを含むことを特徴とする
請求項２９−３３のいずれか一項に記載の方法。
【請求項３５】
前記リソース配置情報は前記アップリンクデータの専用リソース及び／又はアクセスシーケンスを含むことを特徴とする
請求項３４に記載の方法。
【請求項３６】
前記方法はさらに、
前記ネットワークエンティティが前記アクセスネットワーク装置セット内のアクセスネットワーク装置によって前記端末装置へ前記物理ダウンリンク制御チャネルの特徴情報を送信し、前記特徴情報が前記物理ダウンリンク制御チャネルを受信するように前記端末装置に指示することに用いられることを含むことを特徴とする
請求項２９−３５のいずれか一項に記載の方法。
【請求項３７】
前記特徴情報は時間領域リソース情報、周波数領域リソース情報、サブ搬送波間隔情報及び／又はサブフレーム構造情報を含むことを特徴とする
請求項３６に記載の方法。
【請求項３８】
前記ダウンリンクデータはユーザプレーンデータ又は制御プレーンデータであることを特徴とする
請求項２９−３７のいずれか一項に記載の方法。
【請求項３９】
アクセスネットワーク装置であって、
端末装置へ物理ダウンリンク制御チャネルを送信するように構成され、前記物理ダウンリンク制御チャネルに前記端末装置のダウンリンクデータのスケジューリング情報が含まれ、前記アクセスネットワーク装置がアクセスネットワーク装置セット内のいずれかのアクセスネットワーク装置であり、前記アクセスネットワーク装置セットが少なくとも一つのアクセスネットワーク装置を含み、且つ前記少なくとも一つのアクセスネットワーク装置のカバレッジ内で前記端末装置がハンドオーバーせずに移動することができる送信モジュールを備え、
前記送信モジュールはさらに前記端末装置へ前記ダウンリンクデータを送信するように構成される、前記アクセスネットワーク装置。
【請求項４０】
前記アクセスネットワーク装置はさらに、
ネットワークエンティティから送信された前記ダウンリンクデータを受信するように構成される受信モジュールを備えることを特徴とする
請求項３９に記載のクセスネットワーク装置。
【請求項４１】
前記ネットワークエンティティはコアネットワーク装置であることを特徴とする
請求項４０に記載のアクセスネットワーク装置。
【請求項４２】
前記ネットワークエンティティは前記アクセスネットワーク装置セット内の第二のアクセスネットワーク装置であることを特徴とする
請求項４０に記載のアクセスネットワーク装置。
【請求項４３】
前記受信モジュールはさらにネットワークエンティティから送信されたリソース配置情報を受信するように構成され、前記リソース配置情報が、前記端末装置がアップリンクデータを送信するために用いられ、
前記送信モジュールはさらに前記端末装置へ前記リソース配置情報を送信するように構成されることを特徴とする
請求項３９−４２のいずれか一項に記載のアクセスネットワーク装置。
【請求項４４】
前記送信モジュールは具体的に、
前記ダウンリンクデータ又は前記物理ダウンリンク制御チャネルによって前記リソース配置情報を送信するように構成されることを特徴とする
請求項４３に記載のアクセスネットワーク装置。
【請求項４５】
前記受信モジュールはさらに前記端末装置から送信されたアップリンクデータを受信するように構成され、
前記送信モジュールはさらに前記アクセスネットワーク装置セット内の他のアクセスネットワーク装置へ第一の指示情報を送信し、前記第一の指示情報が前記端末装置へのダウンリンクデータの送信を停止することを示すことに用いられることを特徴とする
請求項４３又は４４に記載のアクセスネットワーク装置。
【請求項４６】
前記受信モジュールはさらに前記端末装置から送信されたアップリンクデータを受信するように構成され、
前記送信モジュールはさらにネットワークエンティティへ第二の指示情報を送信するように構成され、前記第二の指示情報が前記アクセスネットワーク装置のみへ後続のダウンリンクデータを送信するようにネットワークエンティティに指示することに用いられ、ここで、端末に送信されるダウンリンクデータが前記ネットワークエンティティからのものであり、又は前記ネットワークエンティティを経由するものであることを特徴とする
請求項４３又は４４に記載のアクセスネットワーク装置。
【請求項４７】
前記リソース配置情報は前記アップリンクデータの専用リソース及び／又はアクセスシーケンスを含むことを特徴とする
請求項４３−４６のいずれか一項に記載のアクセスネットワーク装置。
【請求項４８】
前記アクセスネットワーク装置はさらに、
前記物理ダウンリンク制御チャネルの特徴情報を確定するように構成され、前記特徴情報が、前記第一のアクセスネットワーク装置が前記端末装置に接続する時に配置されるものである確定モジュールを備え、
前記送信モジュールはさらに前記端末装置へ前記特徴情報を送信するように構成され、前記特徴情報が前記物理ダウンリンク制御チャネルを受信するように前記端末装置に指示することに用いられることを特徴とする
請求項３９−４７のいずれか一項に記載のアクセスネットワーク装置。
【請求項４９】
前記特徴情報は前記第一のアクセスネットワーク装置が前記端末装置と上位層シグナリング接続をしてある時に配置されるものであることを特徴とする
請求項４８に記載のアクセスネットワーク装置。
【請求項５０】
前記受信モジュールはさらにネットワークエンティティから送信された前記物理ダウンリンク制御チャネルの特徴情報を受信するように構成され、前記特徴情報が前記ネットワークエンティティによって配置され、
前記送信モジュールはさらに前記端末装置へ前記特徴情報を送信するように構成され、前記特徴情報が前記物理ダウンリンク制御チャネルを受信するように前記端末装置に指示することに用いられることを特徴とする
請求項３９−４９のいずれか一項に記載のアクセスネットワーク装置。
【請求項５１】
前記特徴情報は前記ネットワークエンティティによって配置されることを特徴とする
請求項５０に記載のアクセスネットワーク装置。
【請求項５２】
前記送信モジュールは具体的に、
システム情報によって、前記システム情報に含まれる前記特徴情報を前記端末装置へ送信するように構成されることを特徴とする
請求項３９−４９のいずれか一項に記載のアクセスネットワーク装置。
【請求項５３】
前記特徴情報は時間領域リソース情報、周波数領域リソース情報、サブ搬送波間隔情報及び／又はサブフレーム構造情報を含むことを特徴とする
請求項４８−５２のいずれか一項に記載のアクセスネットワーク装置。
【請求項５４】
前記スケジューリング情報は前記端末装置に対応する無線ネットワーク一時識別子（ＲＮＴＩ）によりスクランブルされたスケジューリング情報であり、前記ＲＮＴＩが前記アクセスネットワーク装置セット内の他のアクセスネットワーク装置の物理ダウンリンク制御チャネルに含まれるスクランブルスケジューリング情報のＲＮＴＩと同じであり、且つ前記ＲＮＴＩが、前記第一のアクセスネットワーク装置が前記端末装置と上位層シグナリング接続をしてある時に配置されるものであり、又は前記ＲＮＴＩがネットワークエンティティによって予め配置されて前記アクセスネットワーク装置セット内の各アクセスネットワーク装置に送信されたものであり、
前記送信モジュールはさらに前記端末装置へ前記ＲＮＴＩを送信するように構成され、前記ＲＮＴＩが、前記端末装置が前記スケジューリング情報を復調するために用いられることを特徴とする
請求項３９−５３のいずれか一項に記載のアクセスネットワーク装置。
【請求項５５】
前記スケジューリング情報はＲＮＴＩによりスクランブルされたスケジューリング情報であり、
前記送信モジュールはさらに前記端末装置へシステム情報を送信するように構成され、前記システム情報に前記ＲＮＴＩが含まれ、前記ＲＮＴＩが、前記端末装置が前記スケジューリング情報を復調するために用いられることを特徴とする
請求項５４に記載のアクセスネットワーク装置。
【請求項５６】
前記ダウンリンクデータはユーザプレーンデータ又は制御プレーンデータであることを特徴とする
請求項３９−５５のいずれか一項に記載のアクセスネットワーク装置。
【請求項５７】
端末装置であって、
第一のアクセスネットワーク装置から送信された物理ダウンリンク制御チャネルを受信するように構成され、前記物理ダウンリンク制御チャネルに前記端末装置のダウンリンクデータのスケジューリング情報が含まれ、前記第一のアクセスネットワーク装置がアクセスネットワーク装置セットに属し、前記アクセスネットワーク装置セットが少なくとも一つのアクセスネットワーク装置を含み、且つ前記端末装置が前記少なくとも一つのアクセスネットワーク装置のカバレッジ内でハンドオーバーせずに移動することができる受信モジュールを備え、
前記受信モジュールはさらに前記スケジューリング情報に基づき、前記第一のアクセスネットワーク装置から送信された前記ダウンリンクデータを受信するように構成される、前記端末装置。
【請求項５８】
前記受信モジュールはさらに前記第一のアクセスネットワーク装置から送信された前記リソース配置情報を受信するように構成され、前記リソース配置情報が、前記端末装置がアップリンクデータを送信するために用いられ、
前記送信モジュールは前記リソース配置情報に基づき、前記第一のアクセスネットワーク装置へ前記アップリンクデータを送信するように構成されることを特徴とする
請求項５７に記載の端末装置。
【請求項５９】
前記受信モジュールは具体的に、
前記ダウンリンクデータ又は前記物理ダウンリンク制御チャネルに含まれる前記リソース配置情報を受信するように構成されることを特徴とする
請求項５８に記載の端末装置。
【請求項６０】
前記リソース配置情報は前記アップリンクデータの専用リソース及び／又はアクセスシーケンスを含むことを特徴とする
請求項５８又は５９に記載の端末装置。
【請求項６１】
前記受信モジュールはさらに前記第一のアクセスネットワーク装置から送信された無線ネットワーク一時識別子（ＲＮＴＩ）を受信するように構成され、
処理モジュールは、前記ＲＮＴＩに基づき、前記スケジューリング情報を復調するように構成されることを特徴とする
請求項５７−６０のいずれか一項に記載の端末装置。
【請求項６２】
前記受信モジュールは具体的に、
前記第一のアクセスネットワーク装置から送信されたシステム情報を受信するように構成され、前記システム情報に前記ＲＮＴＩが含まれることを特徴とする
請求項６１に記載の端末装置。
【請求項６３】
前記受信モジュールはさらに前記第一のアクセスネットワーク装置の特徴情報を受信するように構成され、
前記受信モジュールは具体的に、
前記特徴情報に基づき、前記第一のアクセスネットワーク装置から送信された物理ダウンリンク制御チャネルを受信するように構成されることを特徴とする
請求項５７−６２のいずれか一項に記載の端末装置。
【請求項６４】
前記受信モジュールは具体的に、
前記第一のアクセスネットワーク装置から送信されたシステム情報を受信するように構成され、前記システム情報に前記第一のアクセスネットワーク装置の特徴情報が含まれることを特徴とする
請求項６３に記載の端末装置。
【請求項６５】
前記特徴情報は時間領域リソース情報、周波数領域リソース情報、サブ搬送波間隔情報及び／又はサブフレーム構造情報を含むことを特徴とする
請求項６３又は６４に記載の端末装置。
【請求項６６】
前記ダウンリンクデータはユーザプレーンデータ又は制御プレーンデータであることを特徴とする
請求項５７−６５のいずれか一項に記載の端末装置。
【請求項６７】
ネットワークエンティティであって、
アクセスネットワーク装置セットを確定するように構成され、前記アクセスネットワーク装置セットが少なくとも一つのアクセスネットワーク装置を含み、且つ前記少なくとも一つのアクセスネットワーク装置のカバレッジ内で前記端末装置がハンドオーバーせずに移動することができる確定モジュールと、
前記アクセスネットワーク装置が前記ダウンリンクデータを前記端末装置に送信するように、アクセスネットワーク装置セット内のアクセスネットワーク装置へダウンリンクデータを送信するように構成される送信モジュールとを備える、前記ネットワークエンティティ。
【請求項６８】
前記ネットワークエンティティはコアネットワーク装置であり、
前記送信モジュールは具体的に、
前記少なくとも一つのアクセスネットワーク装置における各アクセスネットワーク装置へ前記ダウンリンクデータを送信するように構成されることを特徴とする
請求項６７に記載のネットワークエンティティ。
【請求項６９】
前記ネットワークエンティティは前記アクセスネットワーク装置セット内の第二のアクセスネットワーク装置であり、
前記送信モジュールは具体的に、
前記アクセスネットワーク装置セット内の前記第二のアクセスネットワーク装置以外の全てのアクセスネットワーク装置へ前記ダウンリンクデータを送信するように構成されることを特徴とする
請求項６７に記載のネットワークエンティティ。
【請求項７０】
前記送信モジュールはさらに前記端末装置へ物理ダウンリンク制御チャネルを送信するように構成され、前記物理ダウンリンク制御チャネルに前記端末装置のダウンリンクデータのスケジューリング情報が含まれ、
前記送信モジュールはさらに前記端末装置へ前記ダウンリンクデータを送信するように構成されることを特徴とする
請求項６９に記載のネットワークエンティティ。
【請求項７１】
前記受信モジュールはさらに前記アクセスネットワーク装置セット内の第一のアクセスネットワーク装置から送信された指示情報を受信するように構成され、前記指示情報が前記第二のアクセスネットワーク装置のみへ後続のダウンリンクデータを送信するようにネットワークエンティティに指示することに用いられ、
前記送信モジュールはさらに前記第一のアクセスネットワーク装置のみへ後続のダウンリンクデータを送信するように構成されることを特徴とする
請求項６７−７０のいずれか一項に記載のネットワークエンティティ。
【請求項７２】
前記送信モジュールは、さらに前記アクセスネットワーク装置セット内のアクセスネットワーク装置によって前記端末装置へリソース配置情報を送信するように構成され、前記リソース配置情報が、前記端末装置がアップリンクデータを送信するために用いられることを特徴とする
請求項６７−７１のいずれか一項に記載のネットワークエンティティ。
【請求項７３】
前記リソース配置情報は前記アップリンクデータの専用リソース及び／又はアクセスシーケンスを含むことを特徴とする
請求項７２に記載のネットワークエンティティ。
【請求項７４】
前記送信モジュールはさらに、前記アクセスネットワーク装置セット内のアクセスネットワーク装置によって前記端末装置へ前記物理ダウンリンク制御チャネルの特徴情報を送信するように構成され、前記特徴情報が前記物理ダウンリンク制御チャネルを受信するように前記端末装置に指示することに用いられることを特徴とする
請求項６７−７３のいずれか一項に記載のネットワークエンティティ。
【請求項７５】
前記特徴情報は時間領域リソース情報、周波数領域リソース情報、サブ搬送波間隔情報及び／又はサブフレーム構造情報を含むことを特徴とする
請求項７４に記載のネットワークエンティティ。
【請求項７６】
前記ダウンリンクデータはユーザプレーンデータ又は制御プレーンデータであることを特徴とする
請求項６７−７５のいずれか一項に記載のネットワークエンティティ。
【発明の詳細な説明】
【技術分野】
【０００１】
本出願の実施例は通信分野に関し、且つより具体的には、データ伝送方法、アクセスネットワーク装置、端末装置とネットワークエンティティに関する。
【背景技術】
【０００２】
ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）において、ユーザ装置（ＵＥ：ｕｓｅｒ  ｅｑｕｉｐｍｅｎｔ）は、通常の待機状態であるアイドルモードと、ＵＥと進化したユニバーサル地上無線アクセスネットワーク（ＵＴＲＡＮ：Ｔｅｒｒｅｓｔｒｉａｌ  Ｒａｄｉｏ  Ａｃｃｅｓｓ  Ｎｅｔｗｏｒｋ）の間に無線リソース制御接続が存在するという接続モードの２つの基本的な動作モードがある。
【０００３】
動作モードがアイドルモードである時に、ＵＥは、データを受信又は送信する必要がある場合、上位層シグナリング接続を確立するための接続モードに切り替えなければ、データを送信することができず、これによりシステム効率が低く、端末装置の電力消費が大きい。
【発明の概要】
【発明が解決しようとする課題】
【０００４】
本出願の実施例はシステム効率を向上し、端末装置の電力消費を低減させることができるデータ伝送方法を提供する。
【課題を解決するための手段】
【０００５】
第一の態様によるデータ伝送方法は、第一のアクセスネットワーク装置が端末装置へ物理ダウンリンク制御チャネルを送信し、該物理ダウンリンク制御チャネルに該端末装置のダウンリンクデータのスケジューリング情報が含まれ、該第一のアクセスネットワーク装置がアクセスネットワーク装置セット内のいずれかのアクセスネットワーク装置であり、該アクセスネットワーク装置セットが少なくとも一つのアクセスネットワーク装置を含み、且つ該少なくとも一つのアクセスネットワーク装置のカバレッジ内で該端末装置がハンドオーバーせずに移動することができることと、該第一のアクセスネットワーク装置が該端末装置へ該ダウンリンクデータを送信することとを含む。
【０００６】
アクセスネットワーク装置セット内の各アクセスネットワーク装置は端末装置へ該端末装置のダウンデータのスケジューリング情報を含む物理ダウンリンク制御チャネルを送信し、該アクセスネットワーク装置セットが少なくとも一つのアクセスネットワーク装置を含み、且つ該少なくとも一つのアクセスネットワーク装置カバレッジ内で該端末装置がハンドオーバーせずに移動することができ、且つ第一のアクセスネットワーク装置が該端末装置へ該ダウンリンクデータを送信し、これにより端末装置は上位層シグナリング接続を復元せずにダウンリンクデータを受信し、それによってシステム効率が向上し、端末装置の電力消費が低減される。
【０００７】
いくつかの可能な実施形態では、該第一のアクセスネットワーク装置が該端末装置へ該ダウンリンクデータを送信する前に、該方法はさらに該第一のアクセスネットワーク装置がネットワークエンティティから送信された該ダウンリンクデータを受信することを含む。
【０００８】
アクセスネットワーク装置セットは少なくとも一つのアクセスネットワーク装置を含み、該アクセスネットワーク装置セットは一つの論理エンティティ（ネットワークエンティティとして示される）により管理されてもよい。例えば、ネットワークエンティティは該アクセスネットワーク装置セットにいくつのアクセスネットワーク装置があるか、及び端末のコンテキスト情報に対する配置、保存など、及びアクセスネットワーク装置とコアネットワーク装置の間のユーザーベアラの接続などを知ることができる。
【０００９】
いくつかの可能な実施形態では、該ネットワークエンティティはコアネットワーク装置である。
【００１０】
ネットワークエンティティがコアネットワーク装置であり、ダウンリンクデータを送信する必要がある場合、ネットワーク側（例えばサーバ）はダウンリンクデータをコアネットワーク装置に直接送信し、コアネットワーク装置によってアクセスネットワーク装置セット内の各アクセスネットワーク装置に転送することができる。該コアネットワーク装置が該アクセスネットワーク装置に直接接続されない場合、コアネットワークは先に該アクセスネットワーク装置との接続を確立することができる。
【００１１】
いくつかの可能な実施形態では、該ネットワークエンティティは該アクセスネットワーク装置セット内の第二のアクセスネットワーク装置である。
【００１２】
第二のアクセスネットワーク装置はダウンリンクデータを第一のアクセスネットワーク装置セット内の該第二のアクセスネットワーク装置以外の全てのアクセスネットワーク装置に送信することができ、これによりアクセスネットワーク装置セット内のアクセスネットワーク装置は同時にダウンリンクデータの送信を行うことができる。又は、第二のアクセスネットワーク装置はそれ自体にカバーされたネットワークへダウンリンクデータを送信し、端末装置からのフィードバックが受信されていない（例えば、端末装置から送信されたアップリンクデータが受信できていない）場合、第二のアクセスネットワーク装置はダウンリンクデータを他のアクセスネットワーク装置に送信する。
【００１３】
いくつかの可能な実施形態では、該方法はさらに該第一のアクセスネットワーク装置がネットワークエンティティから送信されたリソース配置情報を受信し、該リソース配置情報が、該端末装置がアップリンクデータを送信するために用いられることと、該第一のアクセスネットワーク装置が該端末装置へ該リソース配置情報を送信することとを含む。
【００１４】
第一のアクセスネットワーク装置はネットワークエンティティから送信された端末装置のアップリンクデータのリソース配置情報を受信し、そして該リソース配置情報を端末装置に送信する。端末装置は該リソース配置情報に基づき、第一のアクセスネットワーク装置へアップリンクデータを送信することができる。このようにして端末装置は上位層シグナリングの接続をを復元せずにアップリンクデータを送信することができ、それによって端末装置の電力消費を節約する。
【００１５】
いくつかの可能な実施形態では、該第一のアクセスネットワーク装置が該端末装置へ該リソース配置情報を送信することは、該第一のアクセスネットワーク装置が該ダウンリンクデータ又は該物理ダウンリンク制御チャネルによって該端末装置へ該リソース配置情報を送信することを含む。
【００１６】
第一のアクセスネットワーク装置はネットワークエンティティから送信された端末装置のアップリンクデータのリソース配置情報を受信し、そして端末装置へ送信されるダウンリンクデータに該リソース配置情報を含ませる。端末装置は該リソース配置情報に基づき、第一のアクセスネットワーク装置へアップリンクデータを送信することができる。又は該端末装置のアップリンクデータのリソース配置情報は物理ダウンリンク制御チャネルに含まれてもよく、それによって端末装置の電力消費が節約される。
【００１７】
いくつかの実施形態では、該方法はさらに該第一のアクセスネットワーク装置が該端末装置から送信されたアップリンクデータを受信することと、該第一のアクセスネットワーク装置が該第一のアクセスネットワーク装置セット内の他のアクセスネットワーク装置へ第一の指示情報を送信し、該第一の指示情報が該端末装置へのダウンリンクデータの送信を停止することを示すことに用いられることとを含む。
【００１８】
端末装置はアップリンクデータのリソース配置情報を受信した後、第一のアクセスネットワーク装置へアップリンクデータを送信する。第一のアクセスネットワーク装置が端末装置からのフィードバックが受信されていない場合、端末装置が該第一のアクセスネットワーク装置のカバレッジ内に位置しないことを示す。第一のアクセスネットワーク装置が端末装置から送信されたアップリンクデータを受信した場合、端末装置が現在該第一のアクセスネットワーク装置のカバレッジ範囲内に位置することを判定することができ、該第一のアクセスネットワーク装置は、アクセスネットワーク装置セット内の他のアクセスネットワーク装置に、端末装置への該ダウンリンクデータの送信を停止するように該第二のアクセスネットワーク装置に指示するための指示情報（第一の指示情報と示される）を送信することができ、それによってシステムの電力消費が節約される。
【００１９】
いくつかの可能な実施形態では、該方法はさらに該第一のアクセスネットワーク装置が該端末装置から送信されたアップリンクデータを受信することと、該第一のアクセスネットワーク装置がネットワークエンティティへ第二の指示情報を送信し、該第二の指示情報が、該第一のアクセスネットワーク装置のみへ後続のダウンリンクデータを送信するようにネットワークエンティティに指示することに用いられ、ここで、端末に送信されるダウンリンクデータが、該ネットワークエンティティからのものであり、又は該ネットワークエンティティを経由するものであることとを含む。
【００２０】
第一のアクセスネットワーク装置はそれ自体のカバレッジ内に端末装置が存在することを確定した場合、ネットワークエンティティへ指示情報（第二の指示情報と示される）を送信することができ、ネットワークエンティティは第一のアクセスネットワーク装置のみへダウンリンクデータを送信することができ、それによってシステムの電力消費が節約される。
【００２１】
いくつかの可能な実施形態では、該リソース配置情報は該アップリンクデータの専用リソース及び／又はアクセスシーケンスを含む。
【００２２】
第一のアクセスネットワーク装置はダウンリンクデータ又は物理ダウンリンク制御チャネルにアップリンクデータの専用リソースを含ませることができ、又は第一のアクセスネットワーク装置はダウンリンクデータ又は物理ダウンリンク制御チャネルにアップリンクデータのランダムアクセスのための特定アクセスシーケンスを含ませることができる。このようにして、端末装置は上位層シグナリングの接続を復元せずにアップリンクデータを送信することができ、それによって端末装置の電力消費が節約される。
【００２３】
いくつかの可能な実施形態では、該第一のアクセスネットワーク装置が端末装置へ物理ダウンリンク制御チャネルを送信する前に、該方法はさらに該第一のアクセスネットワーク装置が該物理ダウンリンク制御チャネルの特徴情報を確定することと、該第一のアクセスネットワーク装置が該端末装置へ該特徴情報を送信し、該特徴情報が該物理ダウンリンク制御チャネルを受信するように該端末装置に指示することに用いられることを含む。
【００２４】
アクセスネットワーク装置セット内の各アクセスネットワーク装置の物理ダウンリンク制御チャネルの特徴情報が同じである時に、該特徴情報はアクセスネットワーク装置によって配置され、そして端末装置に送信されてもよく、該特徴情報はコンテキスト情報として各ネットワークノード間で伝送されてもよい。
【００２５】
いくつかの可能な実施形態では、該特徴情報は、該第一のアクセスネットワーク装置が該端末装置と上位層シグナリング接続をしてある時に配置されるものである。
【００２６】
該特徴情報はアクセスネットワーク装置が端末装置と上位層シグナリングの接続を確立又は復元する時に配置されて端末装置に送信されてもよく、該特徴情報はコンテキスト情報として各ネットワークノード間で伝送されてもよい。
【００２７】
いくつかの可能な実施形態では、該第一のアクセスネットワーク装置が端末装置へ物理ダウンリンク制御チャネルを送信する前に、該方法はさらに該第一のアクセスネットワーク装置がネットワークエンティティから送信された該物理ダウンリンク制御チャネルの特徴情報を受信することと、該第一のアクセスネットワーク装置が該端末装置へ該特徴情報を送信し、該特徴情報が該物理ダウンリンク制御チャネルを受信するように該端末装置に指示することに用いられることとを含む。
【００２８】
第一のアクセスネットワーク装置はネットワークエンティティから送信された物理ダウンリンク制御チャネルの特徴情報を受信し、そして該特徴情報を端末装置に送信し、端末装置は該特徴情報に基づいて該物理ダウンリンク制御チャネルを受信する。
【００２９】
いくつかの可能な実施形態では、該特徴情報は該ネットワークエンティティによって配置される。
【００３０】
ネットワークエンティティは端末装置のための物理ダウンリンク制御チャネルの特徴情報を配置し、そして端末装置に送信し、端末装置は該特徴情報に基づいて該物理ダウンリンク制御チャネルを正確に受信することができる。
【００３１】
いくつかの可能な実施形態では、該第一のアクセスネットワーク装置が該端末装置へ該特徴情報を送信することは、該第一のアクセスネットワーク装置がシステム情報によって、システム情報に含まれる該特徴情報を該端末装置へ送信することを含む。
【００３２】
アクセスネットワーク装置セット内の各アクセスネットワーク装置の物理ダウンリンク制御チャネルの特徴情報が異なる時に、各アクセスネットワーク装置はシステム情報にそれぞれの特徴情報を含ませ、端末装置へシステム情報を送信することによりアクセスネットワーク装置の特徴情報の送信を実現することができ、これにより端末装置は該物理ダウンリンク制御チャネルを受信することができる。
【００３３】
いくつかの可能な実施形態では、該特徴情報は時間領域リソース情報、周波数領域リソース情報、サブ搬送波間隔情報及び／又はサブフレーム構造情報を含む。
【００３４】
第一のアクセスネットワーク装置が予め設定された時間領域位置によって物理ダウンリンク制御チャネルを（即ち周期的）に送信する場合、端末装置は非連続受信方式に従って該物理ダウンリンク制御チャネルを受信する必要がある。第一のアクセスネットワーク装置が他の特徴情報によって物理ダウンリンク制御チャネルを送信する場合、端末装置は対応する特徴情報に基づいて該物理ダウンリンク制御チャネルを正確に受信する必要がある。
【００３５】
いくつかの可能な実施形態では、該スケジューリング情報は該端末装置に対応する無線ネットワーク一時識別子（ＲＮＴＩ）によりスクランブルされたスケジューリング情報であり、該ＲＮＴＩが該アクセスネットワーク装置セット内の他のアクセスネットワーク装置の物理ダウンリンク制御チャネルに含まれるスクランブルスケジューリング情報のＲＮＴＩと同じであり、且つ該ＲＮＴＩが、該第一のアクセスネットワーク装置が該端末装置と上位層シグナリング接続をしてある時に配置されるものであり、又は該ＲＮＴＩがネットワークエンティティによって予め配置されて該アクセスネットワーク装置セット内の各アクセスネットワーク装置に送信されたものであり、該第一のアクセスネットワーク装置が該端末装置へ該ダウンリンクデータを送信する前に、該方法はさらに該第一のアクセスネットワーク装置が該端末装置へ該ＲＮＴＩを送信し、該ＲＮＴＩが、該端末装置が該スケジューリング情報を復調するために用いられることを含む。
【００３６】
アクセスネットワーク装置は端末装置へＲＮＴＩ１を送信し、これにより端末装置は該ＲＮＴＩに基づき、受信された物理ダウンリンク制御チャネルを復調して物理ダウンリンク制御チャネルに含まれるスケジューリング情報を知る。端末装置は上位層シグナリングの接続を復元せずにダウンリンクデータを受信することができ、それによって端末装置の電力消費が節約される。
【００３７】
いくつかの可能な実施形態では、該第一のアクセスネットワーク装置が該端末装置へ該ＲＮＴＩを送信することは、該第一のアクセスネットワーク装置が該端末装置へシステム情報を送信し、該システム情報に該ＲＮＴＩが含まれることを含む。
【００３８】
アクセスネットワーク装置セット内の各アクセスネットワーク装置はシステム情報にＲＮＴＩを含ませ、端末装置へシステム情報をブロードキャストすることにより、端末装置への該ＲＮＴＩの送信を実現することができる。端末装置は該ＲＮＴＩに基づいて物理ダウリンク制御チャネルに含まれるスケジューリング情報を復調して知る。端末装置は上位層シグナリングの接続を復元せずにダウンリンクデータを受信することができ、それによって端末装置の電力消費が節約される。
【００３９】
いくつかの可能な実施形態では、該ダウンリンクデータはユーザプレーンデータ又は制御プレーンデータである。
【００４０】
制御プレーンデータは無線リソース制御メッセージ、例えばページング（ｐａｇｉｎｇ）メッセージなどであってもよい。
【００４１】
第二の態様によるデータ伝送方法は、端末装置が第一のアクセスネットワーク装置から送信された該物理ダウンリンク制御チャネルを受信し、該物理ダウンリンク制御チャネルに該端末装置のダウンリンクデータのスケジューリング情報が含まれ、該第一のアクセスネットワーク装置が該アクセスネットワーク装置セットに属し、該アクセスネットワーク装置セットが少なくとも一つのアクセスネットワーク装置を含み、且つ該端末装置が該少なくとも一つのアクセスネットワーク装置のカバレッジ内でハンドオーバーせずに移動することができることと、端末装置が該スケジューリング情報に基づき、該第一のアクセスネットワーク装置から送信された該ダウンリンクデータを受信することとを含む。
【００４２】
端末装置はアクセスネットワーク装置セット内の第一のアクセスネットワーク装置から送信された物理ダウンリンク制御チャネルを受信することができ、該アクセスネットワーク装置セットが少なくとも一つのアクセスネットワーク装置を含み、且つ該端末装置が該少なくとも一つのアクセスネットワークのカバレッジ内でハンドオーバーせずに移動することができ、且つ第一のアクセスネットワーク装置は該端末装置へ該ダウンリンクデータを送信し、これにより端末装置は上位層シグナリングの接続を復元せずにダウンリンクデータを受信し、それによってシステム効率が向上し、端末装置の電力消費が低減される。
【００４３】
いくつかの可能な実施形態では、該方法はさらに該端末装置が該第一のアクセスネットワーク装置から送信された該リソース配置情報を受信し、該リソース配置情報が、該端末装置がアップリンクデータを送信するために用いられることと、該端末装置が該リソース配置情報に基づき、該第一のアクセスネットワーク装置へ該アップリンクデータを送信することとを含む。
【００４４】
端末装置は第一のアクセスネットワーク装置から送信されたアップリンクデータのリソース配置情報を受信し、そして該リソース配置情報に基づいて第一のアクセスネットワーク装置へアップリンクデータを送信することができる。このようにして端末装置は上位層シグナリングの接続を復元せずにアップリンクデータを送信することができ、それによって端末装置の電力消費が節約される。
【００４５】
いくつかの可能な実施形態では、該端末装置が該第一のアクセスネットワーク装置から送信された該リソース配置情報を受信することは該端末装置が該ダウンリンクデータ又は該物理ダウンリンク制御チャネルに含まれる該リソース配置情報を受信することを含む。
【００４６】
端末装置は該ダウンリンクデータ又は該物理ダウンリンク制御チャネルを受信することにより、該リソース配置情報の受信を実現することができる。即ち、該リソース配置情報はダウンリンクデータ又は物理ダウンリンク制御チャネルに含まれてもよい。このようにして端末装置はリソース配置情報を個別に送信する必要がなく、上位層シグナリングの接続を復元せずにアップリンクデータを送信することができ、それによって端末装置の電力消費がさらに節約される。
【００４７】
いくつかの可能な実施形態では、該リソース配置情報は該アップリンクデータの専用リソース及び／又はアクセスシーケンスを含む。
【００４８】
端末装置は第一のアクセスネットワーク装置によってダウンリンクデータ又は物理ダウンリンク制御チャネルに含まれるアップリンクデータの専用リソースを受信することができ、又は第一のアクセスネットワーク装置はダウンリンクデータ又は物理ダウンリンク制御チャネルにアップリンクデータのアップリンクデータランダムアクセスのための特定アクセスシーケンスを含ませる。このようにして端末装置は上位層シグナリングの接続を復元せずにアップリンクデータを送信することができ、それによって端末装置の電力消費が節約される。
【００４９】
いくつかの可能な実施形態では、該第一のアクセスネットワーク装置から送信された該ダウンリンクデータを受信する前に、該方法はさらに該端末装置が該第一のアクセスネットワーク装置から送信された無線ネットワーク一時識別子（ＲＮＴＩ）を受信することと、該端末装置が該ＲＮＴＩに基づき、該スケジューリング情報を復調することとを含む。
【００５０】
端末装置はアクセスネットワーク装置から送信されたＲＮＴＩを受信し、該ＲＮＴＩに基づき、受信された物理ダウンリンク制御チャネルを復調して物理ダウンリンク制御チャネルに搬送されたスケジューリング情報を知る。端末装置は上位層シグナリングの接続を復元せずにダウンリンクデータを受信することができ、それによって端末装置の電力消費が節約される。
【００５１】
いくつかの可能な実施形態では、該端末装置が該第一のアクセスネットワーク装置から送信されたＲＮＴＩを受信することは、該端末装置が該第一のアクセスネットワーク装置から送信されたシステム情報を受信し、該システム情報に該ＲＮＴＩが含まれることを含む。
【００５２】
端末装置はシステム情報からＲＮＴＩを受信し、そして該ＲＮＴＩに基づいて物理ダウンリンク制御チャネルに搬送されたスケジューリング情報を復調して知ることができる。端末装置は上位層シグナリングの接続を復元せずにダウンリンクデータを受信することができ、それによって端末装置の電力消費が節約される。
【００５３】
いくつかの可能な実施形態では、該方法はさらに該端末装置が該第一のアクセスネットワーク装置の特徴情報を受信することを含み、ここで、該端末装置が第一のアクセスネットワーク装置から送信された物理ダウンリンク制御チャネルを受信することは、該端末装置が該特徴情報に基づき、該第一のアクセスネットワーク装置から送信された物理ダウンリンク制御チャネルを受信することを含む。
【００５４】
端末装置は第一のアクセスネットワーク装置から送信された物理ダウンリンク制御チャネルの特徴情報を受信し、該特徴情報に基づいて該物理ダウンリンク制御チャネルを正確に受信することができ、それによってシステム効率が向上する。
【００５５】
いくつかの可能な実施形態では、該端末装置が該第一のアクセスネットワーク装置の特徴情報を受信することは該端末装置が該第一のアクセスネットワーク装置から送信されたシステム情報を受信し、該システム情報に該第一のアクセスネットワーク装置の特徴情報が含まれることを含む。
【００５６】
端末装置は第一のアクセスネットワーク装置から送信されたシステム情報を受信し、該システム情報に該第一のアクセスネットワーク装置の特徴情報が含まれ、これにより端末装置は該特徴情報に基づいて該物理ダウンリンク制御チャネルを正確に受信することができる。
【００５７】
いくつかの可能な実施形態では、該特徴情報は時間領域リソース情報、周波数領域リソース情報、サブ搬送波間隔情報及び／又はサブフレーム構造情報を含む。
【００５８】
第一のアクセスネットワーク装置が予め設定された時間領域位置によって物理ダウンリンク制御チャネルを（即ち周期的）に送信する場合、端末装置は非連続受信方式に従って該物理ダウンリンク制御チャネルを受信する。第一のアクセスネットワーク装置が他の特徴情報によって物理ダウンリンク制御チャネルを送信する場合、端末装置は受信された対応する特徴情報に基づいて該物理ダウンリンク制御チャネルを正確に受信する。
【００５９】
いくつかの可能な実施形態では、該ダウンリンクデータはユーザプレーンデータ又は制御プレーンデータである。
【００６０】
制御プレーンデータは無線リソース制御メッセージ、例えばページング（ｐａｇｉｎｇ）メッセージなどであってもよい。
【００６１】
第三の態様によるデータ伝送方法は、ネットワークエンティティがアクセスネットワーク装置セットを確定することと、該ネットワークエンティティがアクセスネットワーク装置セット内のアクセスネットワーク装置へダウンリンクデータを送信し、該アクセスネットワーク装置セットが少なくとも一つのアクセスネットワーク装置を含み、且つ該少なくとも一つのアクセスネットワークのカバレッジ内で該端末装置がハンドオーバーせずに移動することができることとを含む。
【００６２】
アクセスネットワーク装置セットは少なくとも一つのアクセスネットワーク装置を含み、該アクセスネットワーク装置セットが一つの論理エンティティ（ネットワークエンティティと示される）により管理されてもよい。例えば、ネットワークエンティティは該アクセスネットワーク装置セットにいくつのアクセスネットワーク装置があるか、及び端末のコンテキスト情報に対する配置、保存など、及びアクセスネットワーク装置とコアネットワーク装置の間のユーザーベアラの接続などを知ることができる。ネットワーク側はダウンリンクデータをネットワークエンティティに送信し、ネットワークエンティティによってアクセスネットワーク装置セット内の各アクセスネットワーク装置に転送することができる。アクセスネットワーク装置セット内の各アクセスネットワーク装置は端末装置へ該ダウンリンクデータを送信し、これにより端末装置は上位層シグナリングの接続を復元せずにダウンリンクデータを受信し、それによってシステム効率が向上し、端末装置の電力消費が低減される。
【００６３】
いくつかの可能な実施形態では、該ネットワークエンティティはコアネットワーク装置であり、ここで、該ネットワークエンティティが該アクセスネットワーク装置セット内のアクセスネットワーク装置へ該ダウンリンクデータを送信することは該コアネットワーク装置が該少なくとも一つのアクセスネットワーク装置における各アクセスネットワーク装置へ該ダウンリンクデータを送信することを含む。
【００６４】
ネットワークエンティティがコアネットワーク装置であり、ダウンリンクデータを送信する必要がある場合、ネットワーク側（例えばサーバ）はダウンリンクデータをコアネットワーク装置に直接送信し、コアネットワーク装置によってアクセスネットワーク装置セット内の各アクセスネットワーク装置に転送することができる。該コアネットワーク装置が該アクセスネットワーク装置に直接接続されない場合、コアネットワークはまず該アクセスネットワーク装置との接続を確立し、次にアクセスネットワーク装置セット内の各アクセスネットワーク装置によって端末装置に送信することができ、これにより端末装置は上位層シグナリングの接続を復元せずにダウンリンクデータを受信し、それによってシステム効率が向上し、端末装置の電力消費が低減される。
【００６５】
いくつかの可能な実施形態では、該ネットワークエンティティは該アクセスネットワーク装置セット内の第二のアクセスネットワーク装置であり、ここで、該ネットワークエンティティがアクセスネットワーク装置セット内のアクセスネットワーク装置へ該ダウンリンクデータを送信することは該第二のアクセスネットワーク装置が該アクセスネットワーク装置セット内の該第二のアクセスネットワーク装置以外の全てのアクセスネットワーク装置へ該ダウンリンクデータを送信することを含む。
【００６６】
第二のアクセスネットワーク装置はダウンリンクデータを第一のアクセスネットワーク装置セット内の該第二のアクセスネットワーク装置以外の全てのアクセスネットワーク装置に送信することができ、それによってアクセスネットワーク装置セット内の他のアクセスネットワーク装置は同時に端末装置へダウンリンクデータを送信することができ、これにより端末装置は上位層シグナリングの接続を復元せずにダウンリンクデータを受信し、それによってシステム効率が向上し、端末装置の電力消費が低減される。
【００６７】
いくつかの可能な実施形態では、該方法はさらに該第二のアクセスネットワーク装置が該端末装置へ該ダウンリンクデータを送信することを含む。
【００６８】
第二のアクセスネットワーク装置はそれ自体にカバーされたネットワークへダウンリンクデータを送信することもでき、即ち、アクセスネットワーク装置セット内の全てのアクセスネットワーク装置は同時に端末装置へダウンリンクデータを送信することができ、これにより端末装置は上位層シグナリングの接続を復元せずにダウンリンクデータを受信し、それによってシステム効率が向上し、端末装置の電力消費が低減される。
【００６９】
いくつかの可能な実施形態では、該方法はさらに該ネットワークエンティティが該アクセスネットワーク装置セット内の第一のアクセスネットワーク装置から送信された指示情報を受信し、該指示情報が該第二のアクセスネットワーク装置のみへ後続のダウンリンクデータを送信するようにネットワークエンティティに指示することに用いられることと、該ネットワークエンティティが該第一のアクセスネットワーク装置へ後続のダウンリンクデータを送信することとを含む。
【００７０】
ネットワークエンティティは、第一のアクセスネットワーク装置が、端末装置がそれ自体に属することを確定する時に送信した指示情報を受信することができ、ネットワークエンティティは、第一のアクセスネットワーク装置のみへダウンリンクデータを送信することができ、それによってシステムの電力消費が節約される。
【００７１】
いくつかの可能な実施形態では、該方法はさらに該ネットワークエンティティが該アクセスネットワーク装置セット内のアクセスネットワーク装置によって該端末装置へリソース配置情報を送信し、該リソース配置情報が、該端末装置がアップリンクデータを送信するために用いられることを含む。
【００７２】
ネットワークエンティティがアクセスネットワーク装置セット内のアクセスネットワーク装置によって端末装置へアップリンクデータのリソース配置情報を送信することができ、これにより端末装置は該リソース配置情報に基づいてアクセスネットワーク装置へアップリンクデータを送信することができ、それによって端末装置は上位層シグナリングの接続を復元せずにアップリンクデータを送信することができ、それによってシステム効率が向上し、端末装置の電力消費が低減される。
【００７３】
いくつかの可能な実施形態では、該リソース配置情報は該アップリンクデータの専用リソース及び／又はアクセスシーケンスを含む。
【００７４】
いくつかの可能な実施形態では、該方法はさらに該ネットワークエンティティが該アクセスネットワーク装置セット内のアクセスネットワーク装置によって該端末装置へ該物理ダウンリンク制御チャネルの特徴情報を送信し、該特徴情報が該物理ダウンリンク制御チャネルを受信するように該端末装置に指示することに用いられることを含む。
【００７５】
ネットワークエンティティは物理ダウンリンク制御チャネルのための特徴情報を配置し、そしてアクセスネットワーク装置セット内のアクセスネットワーク装置によって端末装置に送信することができ、該特徴情報がコンテキスト情報として各ネットワークノード間で伝送されてもよい。
【００７６】
いくつかの可能な実施形態では、該特徴情報は時間領域リソース情報、周波数領域リソース情報、サブ搬送波間隔情報及び／又はサブフレーム構造情報を含む。
【００７７】
いくつかの可能な実施形態では、該ダウンリンクデータはユーザプレーンデータ又は制御プレーンデータである。
【００７８】
制御プレーンデータは無線リソース制御メッセージ、例えばページング（ｐａｇｉｎｇ）メッセージなどであってもよい。
【００７９】
第四の態様によるアクセスネットワーク装置は、該第一の態様における方法又は第一の態様のいずれかの可能な実施形態を実行するための各モジュールを備える。
【００８０】
第五の態様による端末装置は第二の態様における方法又は第二の態様のいずれかの可能な実施形態を実行するための各モジュールを備える。
【００８１】
第六の態様によるネットワークエンティティは該第三の態様における方法又は第三の態様のいずれかの可能な実施形態を実行するための各モジュールを備える。
【００８２】
第七の態様によるデータ伝送システムは、上記第四の態様によるアクセス装置、上記第五の態様による端末装置と上記第六の態様によるネットワークエンティティを備える。
【００８３】
第八の態様によるアクセスネットワーク装置はプロセッサとメモリを備え、
前記メモリがプログラムを記憶しており、前記プロセッサが上記第一の態様又は第一の態様のいずれかの可能な実施形態に記載されるデータ伝送方法を実行するための前記プログラムを実行する。
【００８４】
第九の態様による端末装置はプロセッサとメモリを備え、
前記メモリがプログラムを記憶し、前記プロセッサが上記第二の態様又は第二の態様のいずれかの可能な実施形態に記載されるデータ伝送方法を実行するための前記プログラムを実行する。
【００８５】
第十の態様によるネットワークエンティティはプロセッサとメモリを備え、
前記メモリがプログラムを記憶しており、前記プロセッサが上記第三の態様又は第三の態様のいずれかの可能な実施形態に記載されるデータ伝送方法を実行するための前記プログラムを実行する。
【００８６】
第十一の態様によるコンピュータ記憶媒体は、上記第一の態様又は第一の態様のいずれかの可能な実施形態におけるデータ伝送方法を実行するためのプログラムコードを記憶する。
【００８７】
第十二の態様によるコンピュータ記憶媒体は、上記第二の態様又は第二の態様のいずれかの可能な実施形態におけるデータ伝送方法を実行するためのプログラムコードを記憶する。
【００８８】
第十三の態様によるコンピュータ記憶媒体は、上記第三の態様又は第三の態様のいずれかの可能な実施形態におけるデータ伝送方法を実行するためのプログラムコードを記憶する。
【００８９】
上記技術的解決策に基づき、本出願の実施例におけるデータ伝送方法では、アクセスネットワーク装置セット内の各アクセスネットワーク装置は端末装置へ該端末装置のダウンリンクデータのスケジューリング情報を含む物理ダウンリンク制御チャネルを送信し、該アクセスネットワーク装置セットは少なくとも一つのアクセスネットワーク装置を含み、該少なくとも一つのアクセスネットワーク装置のカバレッジ内で該端末装置はハンドオーバーせずに移動することができ、且つ各アクセスネットワーク装置は該端末装置へ該ダウンリンクデータを送信し、これにより端末装置は上位層シグナリングの接続を復元せずにダウンリンクデータを受信し、それによってシステム効率が向上し、端末装置の電力消費が低減される。
【図面の簡単な説明】
【００９０】
【図１】本出願の実施例による応用シーンを示す図である。
【図２】本出願の実施例による応用シーンにおける通信方法の概略フローチャートである。
【図３】本出願の一つの実施例によるデータ伝送方法の概略図である。
【図４】本出願の別の実施例によるデータ伝送方法の概略図である。
【図５】本出願の別の実施例によるデータ伝送方法の概略図である。
【図６】本出願の別の実施例によるデータ伝送方法の概略図である。
【図７】本出願の別の実施例によるデータ伝送方法の概略図である。
【図８】本出願の別の実施例によるデータ伝送方法の概略図である。
【図９】本出願の別の実施例によるデータ伝送方法の概略フローチャートである。
【図１０】本出願の一つの実施例によるアクセスネットワーク装置の概略ブロック図である。
【図１１】本出願の一つの実施例による端末装置の概略ブロック図である。
【図１２】本出願の一つの実施例によるネットワークエンティティの概略ブロック図である。
【図１３】本出願の実施例によるシステムの概略ブロック図である。
【図１４】本出願の一つの実施例によるアクセスネットワーク装置の構造図である。
【図１５】本出願の一つの実施例による端末装置の構造図である。
【図１６】本出願の一つの実施例によるネットワークエンティティの構造図である。
【発明を実施するための形態】
【００９１】
本出願の実施例の技術的解決策をより明確に説明するために、以下に実施例又は従来技術の説明に必要な図面を簡単に説明し、明らかに、以下に記載される図面が本出願のくつかの実施例だけであり、当業者であれば、創造的な労力を要することなく、これらの図面に基づいて他の図面を得ることができる。
【００９２】
以下に本出願の実施例の図面を組み合わせながら、本出願の実施例における技術的解決策を明確で、全面的に説明し、明らかに、説明される実施例は本出願の一部の実施例だけであり、全ての実施例ではない。本出願の実施例に基づき、当業者が創造的な労力を要せずに得た他の実施例は、全て本出願の保護範囲に属する。
【００９３】
本出願は端末装置とアクセスネットワーク装置の各実施例を組み合わせる。端末装置はアクセス端末、ユーザ機器、加入者ユニット、加入者局、移動サイト、遠隔局、遠隔端末、移動装置、ユーザ端末、端末、無線通信装置、ユーザエージェント又はユーザ装置と呼ばれてもよい。アクセス端末はセルラー電話、コードレス電話、ＳＩＰ（Ｓｅｓｓｉｏｎ  Ｉｎｉｔｉａｔｉｏｎ  Ｐｒｏｔｏｃｏｌ：セッション開始プロトコル）電話、ＷＬＬ（Ｗｉｒｅｌｅｓｓ  Ｌｏｃａｌ  Ｌｏｏｐ：無線ローカルループ）サイト、ＰＤＡ（Ｐｅｒｓｏｎａ１  Ｄｉｇｉｔａ１  Ａｓｓｉｓｔａｎｔ：パーソナルデジタル処理）、無線通信機能を備えたハンドヘルドデバイス、コンピューティングデバイス又は無線モデムに接続された他の処理装置、車載デバイス、ウェアラブルデバイス及び将来の５Ｇネットワークにおける端末装置であってもよい。
【００９４】
アクセスネットワーク装置は、移動装置との通信に用いられてもよく、アクセスネットワーク装置はグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）又は符号分割多元アクセス（ＣＤＭＡ：Ｃｏｄｅ  Ｄｉｖｉｓｉｏｎ  Ｍｕｌｔｉｐｌｅ  Ａｃｃｅｓｓ）における基地局（ＢＴＳ：Ｂａｓｅ  Ｔｒａｎｓｃｅｉｖｅｒ  Ｓｔａｔｉｏｎ）であってもよいし、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局（ＮＢ：ＮｏｄｅＢ）であってもよいし、長期進化型（ＬＴＥ：Ｌｏｎｇ  Ｔｅｒｍ  Ｅｖｏｌｕｔｉｏｎ）における進化型基地局（ｅＮＢ又はｅＮｏｄｅＢ：Ｅｖｏｌｕｔｉｏｎａｌ  Ｎｏｄｅ  Ｂ）であってもよいし、中継局又はアクセスポイント、又は車載デバイス、ウェアラブルデバイス及び将来の５Ｇネットワークにおけるアクセスネットワークであってもよい。
【００９５】
コアネットワーク装置はモビリティ管理エンティティ（ＭＭＥ：Ｍｏｂｉｌｉｔｙ  Ｍａｎａｇｅｍｅｎｔ  Ｅｎｔｉｔｙ）であってもよいし、サービングゲートウェイ（Ｓ−ＧＷ：Ｓｅｒｖｉｎｇ  Ｇａｔｅｗａｙ）又はパケットデータゲートウェイ（Ｐ−ＧＷ：ＰＤＮ  Ｇａｔｅｗａｙ）であってもよく、本出願はこれに限定されない。
【００９６】
本出願の実施例を容易に理解するために、まずここで本出願の実施例を説明する前に以下のいくつかの要素を導入する。
【００９７】
アイドルモードにおいて一つだけのアイドル（Ｉｄｌｅ）状態がある。アイドル（Ｉｄｌｅ）状態で、ＵＥの全ての接続がアクセス層においてオフになる。ＵＴＲＡＮにおいてアイドルモードにあるＵＥのためのコンテキストが確立されず、一つの特定のＵＥにアドレスしたい場合、一つのセル内だけで全てのＵＥ又は同じページング期間を傍受する複数のＵＥへページングメッセージを送信することができる。
【００９８】
接続モードにおいてＣＥＬＬ−ＰＣＨ（セルページングチャネル状態）、ＵＲＡ−ＰＣＨ（ＵＴＲＡＮ登録エリアにおけるページングチャネル状態）、ＣＥＬＬ−ＦＡＣＨ（セルフォワードアクセスチャネル状態）とＣＥＬＬ−ＤＣＨ（セル専用チャネル状態）という４つの状態がある。ここで、ＣＥＬＬ−ＤＣＨは上位層シグナリング接続の接続モードであり、「アクティブ状態」と呼ばれてもよい。
【００９９】
図１は本出願の一つの応用シーンを示す図である。図１において、端末装置がアクセスネットワーク装置（ＡＮ：Ａｃｃｅｓｓ  Ｎｅｔｗｏｒｋ）２のセル２に滞在し、端末装置がサービス接続リクエストを開始させる場合、ＡＮ２はコアネットワーク装置（ＣＮ）と接続を確立する。ＡＮ２は配信されたコンテキスト情報をＣＮに同時に伝送し、ＣＮは保存された端末装置のアクセス履歴情報に基づいてアクセスネットワーク装置セットを確定し、ＡＮ３がアクセスネットワーク装置セットに属することを知る場合、ＣＮはＡＮ３とネットワーク接続を確立し、そしてＡＮ３へ端末装置のコンテキスト情報を送信し、ＡＮ３は該コンテキスト情報に基づいてネットワークと通信する。このようにして、端末装置はＡＮ３にカバーされたセルとＡＮ２にカバーされたセルの間でシームレスに移動することができる。すなわち、端末装置はアクセスネットワーク装置セット内のアクセスネットワーク装置のカバレッジ内で移動する時に、アクセスネットワーク装置のハンドオーバーを行う必要がなく、即ちネットワークに通知しない。
【０１００】
図２は本出願の応用シーンにおける通信方法のインターラクションフローチャートである。
【０１０１】
１１０において、端末装置は該端末装置のアクセス履歴情報又はサブスクリプション情報を取得する。
【０１０２】
１２０において、端末装置はコアネットワーク装置へ該アクセス履歴情報又は該サブスクリプション情報を送信する。
【０１０３】
端末装置はコアネットワーク装置へ該アクセス履歴情報を直接送信することができ、例えば、端末装置はコアネットワーク装置へ非アクセス層（ＮＡＳ：Ｎｏｎ−Ａｃｃｅｓｓ  Ｓｔｒａｔｕｍ）シグナリングリクエストメッセージを送信する時に、該シグナリングリクエストメッセージに該アクセス履歴情報を含ませることができ、又は端末装置は端末装置に現在アクセスされているアクセスネットワーク装置の転送により、コアネットワーク装置へ該アクセス履歴情報を送信することもできる。
【０１０４】
１３０において、コアネットワーク装置は該アクセス履歴情報又は該サブスクリプション情報に基づき、アクセスネットワーク装置セットを確定する。
【０１０５】
コアネットワーク装置はサブスクリプション情報又はアクセス履歴情報を受信し、そしてサブスクリプション情報又はアクセス履歴情報に基づいて端末装置が常に滞在する少なくとも一つのアクセスネットワーク装置を確定し、そして該少なくとも一つのアクセスネットワーク装置を仮想アクセスネットワーク装置セットとして確定する。
【０１０６】
コアネットワーク装置は該アクセス履歴情報に含まれる情報タイプ（アクセスネットワーク装置の識別子ＩＤ及び時間長情報及び／又はサービスタイプ情報）に応じて、異なるアクセスネットワーク装置セットを確定することができる。
【０１０７】
１４０において、コアネットワーク装置は該少なくとも一つのアクセスネットワーク装置における各アクセスネットワーク装置へネットワーク接続リクエストメッセージを送信する。
【０１０８】
コアネットワーク装置は、アクセスネットワーク装置セット（少なくとも一つのアクセスネットワーク装置）を確定し、そして該少なくとも一つのアクセスネットワーク装置における各アクセスネットワーク装置へネットワーク接続リクエストメッセージを送信する。該ネットワーク接続リクエストメッセージに端末装置のコンテキスト情報が含まれ、該コンテキスト情報は端末装置がサービス接続を開始させる時に、現在アクセスされているアクセスネットワーク装置によって該端末装置に配置されて生成され、そしてコアネットワークに送信される。アクセスネットワーク装置セット内の各アクセスネットワーク装置は該コンテキスト情報を受信し、記憶することができる。
【０１０９】
１５０において、アクセスネットワーク装置は該ネットワーク接続リクエストメッセージに基づき、該端末装置のためのネットワーク接続を確立する。
【０１１０】
該少なくとも一つのアクセスネットワーク装置における各アクセスネットワーク装置はネットワーク接続リクエストメッセージを受信し、そして該ネットワーク接続リクエストメッセージに基づき、該端末装置のネットワーク接続を確立する。又は、コアネットワーク装置はアクセスネットワーク装置セット内の各アクセスネットワーク装置との接続を直接確立することができ、本出願はこれに限定されない。このようにして、アクセスネットワーク装置セット内の各アクセスネットワーク装置は端末装置のためのネットワーク接続を予め確立し、これにより端末装置は該少なくとも一つのアクセスネットワーク装置のカバレッジ内でシームレスに移動することができ、それによって通信遅延が減少される。
【０１１１】
端末装置が移動し、第一のアクセスネットワーク装置（即ちアクセスネットワーク装置セット内のいずれかのアクセスネットワーク）にアクセスする場合、端末装置は全て該第一のアクセスネットワーク装置に記憶されたコンテキスト情報によってアクセスネットワークと通信することができる。これにより、端末装置は該少なくとも一つのアクセスネットワーク装置のカバレッジ内でシームレスに移動することができ、それによって通信遅延が減少される。
【０１１２】
したがって、端末装置はコアネットワーク装置へ該端末装置のアクセス履歴情報又はサブスクリプション情報を送信し、コアネットワーク装置は該アクセス履歴情報又はサブスクリプション情報に基づいて少なくとも一つのアクセスネットワーク装置を含むアクセスネットワーク装置セットを確定し、そして該アクセスネットワーク装置セット内の各アクセスネットワーク装置へネットワーク接続リクエストメッセージを送信するようにし、該アクセスネットワーク装置セット内の各アクセスネットワーク装置は該ネットワーク接続リクエストメッセージに基づいて端末装置のネットワーク接続を確立し、このようにして、アクセスネットワーク装置セット内の各アクセスネットワーク装置は端末装置のためのネットワーク接続を予め確立し、これにより端末装置は該少なくとも一つのアクセスネットワーク装置のカバレッジ内でシームレスに移動することができ、それによって通信遅延が減少される。
【０１１３】
理解すべきものとして、本出願の実施例では、端末装置が該少なくとも一つのアクセスネットワーク装置セット内の全てのアクセスネットワーク装置のカバレッジ内でアクセスネットワーク装置なしでのハンドオーバーを行うことができるという状態を「非アクティブ状態」と呼ぶことができる。即ち、端末装置のＲＲＣ接続及びベアラは該アクセスネットワーク装置セット内の全てのアクセスネットワーク装置のカバレッジ内で保留されており、アクセス層での端末装置の挙動はアクセスネットワーク装置に通知されない。
【０１１４】
理解すべきものとして、本出願の実施例は該非アクティブ状態の名称を限定するものではない。例えば、アクセスネットワーク装置セットに一つだけのアクセスネットワーク装置がある場合、「アイドル状態」とと呼ばれてもよい。
【０１１５】
従来技術では、端末装置はデータを伝送するために、非アクティブ状態から上位層シグナリング接続があるアクティブ状態に変換される必要があり、これによりシステム効率が低く、端末装置の電力消費が大きい。
【０１１６】
以上に図１及び図２を組み合わせながら本出願の応用シーンを詳細に説明し、以下に該システムに適用できるデータ伝送方法、アクセスネットワーク装置、端末装置とネットワークエンティティに対して詳細に説明する。
【０１１７】
図３は本出願の一つの実施例によるデータ伝送方法２００の概略図である。該データ伝送方法２００の実行本体はアクセスネットワーク装置であってもよい。該データ伝送方法２００はＳ２１０とＳ２２０を含む。
【０１１８】
Ｓ２１０において、第一のアクセスネットワーク装置は端末装置へ物理ダウンリンク制御チャネルを送信し、該物理ダウンリンク制御チャネルに該端末装置のダウンリンクデータのスケジューリング情報が含まれ、該第一のアクセスネットワーク装置がアクセスネットワーク装置セット内のいずれかのアクセスネットワーク装置であり、該アクセスネットワーク装置セットが少なくとも一つのアクセスネットワーク装置を含み、且つ該少なくとも一つのアクセスネットワーク装置のカバレッジ内で該端末装置はハンドオーバーせずに移動することができる。
【０１１９】
Ｓ２２０において、該第一のアクセスネットワーク装置は該端末装置へ該ダウンリンクデータを送信する。
【０１２０】
アクセスネットワーク装置セット内の各アクセスネットワーク装置は端末装置へ該端末装置のダウンリンクデータのスケジューリング情報を含む物理ダウンリンク制御チャネルを送信し、該アクセスネットワーク装置セットが少なくとも一つのアクセスネットワーク装置を含み、該少なくとも一つのアクセスネットワーク装置のカバレッジ内で該端末装置はハンドオーバーせずに移動することができ、且つ第一のアクセスネットワーク装置は該端末装置へ該ダウンリンクデータを送信し、これにより端末装置は上位層シグナリングの接続を復元せずにダウンリンクデータを受信し、それによってシステム効率が向上し、端末装置の電力消費が低減される。
【０１２１】
アクセスネットワーク装置セット内の各アクセスネットワーク装置はいずれも端末装置へ物理ダウンリンク制御チャネルを送信するが、一つだけのアクセスネットワークが端末装置に送信することが成功することができる。即ち、端末装置は端末装置の属する第一のアクセスネットワーク装置から送信された物理ダウンリンク制御チャネルのみを受信することができる。第一のアクセスネットワーク装置は端末装置へ物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を送信し、該物理ダウンリンク制御チャネルに該端末装置のダウリンクデータのスケジューリング情報が含まれる。
【０１２２】
注意すべきものとして、第一のアクセスネットワーク装置はアクセスネットワーク装置セット内のいずれかのアクセスネットワーク装置であり、該アクセスネットワーク装置セットが少なくとも一つのアクセスネットワーク装置である。端末装置は該アクセスネットワーク装置セット内の全てのアクセスネットワーク装置のカバレッジ内で自由に移動することができ、且つアクセスネットワーク装置のハンドオーバーを行う必要がない。
【０１２３】
選択可能に、該第一のアクセスネットワーク装置が該端末装置へ該ダウンリンクデータを送信する前に、該方法はさらに該第一のアクセスネットワーク装置がネットワークエンティティから送信された該ダウンリンクデータを受信することを含む。
【０１２４】
アクセスネットワーク装置セットは少なくとも一つのアクセスネットワーク装置を含み、該アクセスネットワーク装置セットは一つの論理エンティティ（ネットワークエンティティとして示される）により管理されてもよい。例えば、ネットワークエンティティは該アクセスネットワーク装置セットにいくつのアクセスネットワーク装置があるか、及び端末のコンテキスト情報に対する配置、保存など、及びアクセスネットワーク装置とコアネットワーク装置の間のユーザーベアラの接続などを知ることができる。
【０１２５】
説明すべきものとして、該ネットワークエンティティは該アクセスネットワーク装置セット内のあるアクセスネットワーク装置、又はコアネットワーク装置、又はアクセスネットワーク装置以外の他のネットワークエンティティなどであってもよく、本出願はこれに限定されない。説明を容易にするために、本出願の実施例は該ネットワークエンティティが独立した装置であることを例として説明するが、本出願はこれに限定されない。
【０１２６】
ダウンリンクデータを送信する必要がある場合、ネットワーク側（例えばサーバ）はダウンリンクデータをネットワークエンティティに送信し、ネットワークエンティティによってアクセスネットワーク装置セット内の各アクセスネットワーク装置に転送することができる。図４に示すように、ネットワークエンティティは独立した装置であり、アクセスネットワーク装置セットの管理を行う。ダウンリンクデータを送信する必要がある場合、コアネットワーク装置はまずネットワークエンティティと通信し、コアネットワーク装置とアクセスネットワーク装置とのユーザプレーンベアラを確立し、そしてユーザプレーンベアラの確立情報と端末装置のコンテキスト情報をアクセスネットワーク装置に伝送する。
【０１２７】
選択可能に、該ネットワークエンティティはコアネットワーク装置である。
【０１２８】
ネットワークエンティティがコアネットワーク装置であり、図５に示すように、ダウンリンクデータを送信する必要がある場合、ネットワーク側（例えばサーバ）はダウンリンクデータをコアネットワーク装置に直接送信し、コアネットワーク装置によってアクセスネットワーク装置セット内の各アクセスネットワーク装置に転送することができる。該コアネットワーク装置が該アクセスネットワーク装置に直接接続されない場合、コアネットワークは先に該アクセスネットワーク装置との接続を確立することができる。例えば、コアネットワーク装置はネットワークエンティティと通信し、そしてアクセスネットワーク装置とコアネットワーク装置とのユーザプレーンベアラを確立し、そしてユーザプレーンベアラの確立情報と端末装置のコンテキスト情報をアクセスネットワーク装置に送信する。これにより、コアネットワーク装置はダウンリンクデータをネットワークエンティティを介して端末装置に送信する。
【０１２９】
理解すべきものとして、コアネットワーク装置はダウンリンクデータをアクセスネットワーク装置セット内の各アクセスネットワーク装置に直接送信することもでき、この時にネットワークエンティティは制御管理機能のみを有する。
【０１３０】
選択可能に、該第一のアクセスネットワーク装置はさらにネットワークエンティティに現在接続されているアクセスネットワーク装置であってもよい。このようにしてネットワークエンティティは第一のアクセスネットワーク装置のみへダウンリンクデータを送信し、そして端末装置へ送信することができる。該第一のアクセスネットワーク装置が端末装置からのフィードバックが受信されていない場合、第一のアクセスネットワーク装置はデータ伝送が失敗したことを示すための情報をコアネットワーク装置に送信し、そしてダウンリンクデータをアクセスネットワーク装置セット内の他のアクセスネットワーク装置に送信する。該第一のアクセスネットワーク装置が端末装置から送信されたダウンリンクデータを受信した場合、ネットワークエンティティはアクセスネットワーク装置セット内の他のアクセスネットワーク装置へダウンリンクデータを送信する必要がなく、これにより、ネットワークリソースが節約される。
【０１３１】
選択可能に、ネットワークエンティティがアクセスネットワーク装置であり、図６に示すように、ダウンリンクデータを伝送する必要がある場合、ネットワーク側（例えばサーバ）はダウンリンクデータをコアネットワーク装置に送信し、該コアネットワーク装置によって該第一のアクセスネットワーク装置セット内の該第一のアクセスネットワーク装置以外のいずれかのアクセスネットワーク装置（第二のアクセスネットワーク装置として示される）に転送することができる。
【０１３２】
具体的には、第二のアクセスネットワーク装置はダウンリンクデータを第一のアクセスネットワーク装置セット内の該第二のアクセスネットワーク装置以外の全てのアクセスネットワーク装置に送信することができ、これにより第一のアクセスネットワーク装置セット内のアクセスネットワーク装置はデータ送信を同時に行うことができる。又は、第二のアクセスネットワーク装置はそれ自体にカバーされたネットワークへダウンリンクデータを送信し、端末装置からのフィードバックが受信されていない（例えば、端末装置から送信されたアップリンクデータが受信できていない）場合、第二のアクセスネットワーク装置はダウンリンクデータを他のアクセスネットワーク装置に送信する。これに対応して、第二のアクセスネットワーク装置はダウンリンクデータを残りの全てのアクセスネットワーク装置に送信することができ、アクセスネットワーク装置がダウンリンクデータを同時に送信し、又は一つのアクセスネットワーク装置のみに送信し、端末装置を一つずつサーチすることもできる。
【０１３３】
理解すべきものとして、以上にダウンリンクデータの伝送を行う時に、ダウンリンクデータに端末装置のコンテキスト情報を含ませることが可能であり、本出願はこれに限定されない。
【０１３４】
また、理解すべきものとして、該第二のアクセスネットワーク装置は第一のアクセスネットワーク装置と同じアクセスネットワーク装置であってもよく、このようにしてデータはコアネットワーク装置から第一のアクセスネットワーク装置に直接送信されて端末装置に伝送されることができる。
【０１３５】
選択可能に、本出願の一つの実施例では、該第一のアクセスネットワーク装置が端末装置へ物理ダウンリンク制御チャネルを送信する前に、該方法はさらに該第一のアクセスネットワーク装置が該物理ダウンリンク制御チャネルの特徴情報を確定することと、該第一のアクセスネットワーク装置が該端末装置へ該特徴情報を送信し、該特徴情報が該物理ダウンリンク制御チャネルを受信するように該端末装置に指示することに用いられることとを含む。
【０１３６】
物理ダウンリンク制御チャネルは異なる特徴を有することができ、選択可能に、物理ダウンリンク制御チャネルの特徴情報は時間領域リソース情報、周波数領域リソース情報、サブ搬送波間隔情報及び／又はサブフレーム構造情報などを含むことができる。
【０１３７】
例えば、第一のアクセスネットワーク装置が予め設定された時間領域位置（即ち周期的）によって物理ダウンリンク制御チャネルを送信する場合、端末装置は不連続受信（Ｄｉｓｃｏｎｔｉｎｕｏｕｓ、ＤＲＸ）の方式に従って該物理ダウンリンク制御チャネルを受信する必要がある。
【０１３８】
選択可能に、該特徴情報は該第一のアクセスネットワーク装置が該端末装置と上位層シグナリング接続をしてある時に配置されるものである。
【０１３９】
具体的には、アクセスネットワーク装置セット内の各アクセスネットワーク装置は同じ特徴情報（即ち該アクセスネットワーク装置セット内の各アクセスネットワーク装置の特徴情報が統一される）を使用し、そして端末装置に送信することができる。該特徴情報は、アクセスネットワーク装置が前回端末装置と上位層シグナリング接続を確立する時（即ち端末装置がアクティブ状態にある）又は上位層シグナリング接続を復元する時に端末装置に配置した物理ダウンリンク制御チャネルの特徴情報であってもよく、又は該特徴情報は他の方式により確定されてもよく、本出願はこれに限定されない。また、特徴情報は端末装置のコンテキスト情報としてネットワークノード間で伝送されてもよい。
【０１４０】
選択可能に、本出願の一つの実施例では、該第一のアクセスネットワーク装置が端末装置へ物理ダウンリンク制御チャネルを送信する前に、該方法はさらに該第一のアクセスネットワーク装置がネットワークエンティティから送信された該物理ダウンリンク制御チャネルの特徴情報を受信し、該特徴情報が該ネットワークエンティティによって配置されることと、該第一のアクセスネットワーク装置が該端末装置へ該特徴情報を送信し、該特徴情報が該物理ダウンリンク制御チャネルを受信するように該端末装置に指示することに用いられることとを含む。
【０１４１】
具体的には、アクセスネットワーク装置セット内の各アクセスネットワーク装置は同じ特徴情報（即ち該アクセスネットワーク装置セットにおける特徴情報が統一される）を使用し、そして端末装置に送信することができる。該特徴情報はネットワークエンティティによって割り当てられ、そして予め配置されてアクセスネットワーク装置セット内の各アクセスネットワーク装置に伝送され、さらに端末装置に送信されることができる。
【０１４２】
選択可能に、本出願の一つの実施例では、該第一のアクセスネットワーク装置が該端末装置へ該特徴情報を送信することは、該第一のアクセスネットワーク装置がシステム情報によって、システム情報に含まれる該特徴情報を該端末装置へ送信することを含む。
【０１４３】
アクセスネットワーク装置セット内の各アクセスネットワーク装置の物理ダウンリンク制御チャネルの特徴情報が異なる時に、各アクセスネットワーク装置はシステム情報にそれぞれの特徴情報を含ませ、端末装置へシステム情報を送信することによりアクセスネットワーク装置の特徴情報の送信を実現することができ、これにより端末装置は該物理ダウンリンク制御チャネルを受信することができる。
【０１４４】
選択可能に、本出願の一つの実施例では、該スケジューリング情報は該端末装置に対応する無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｔｙ）によりスクランブルされたスケジューリング情報であり、該ＲＮＴＩが該アクセスネットワーク装置セット内の他のアクセスネットワーク装置の物理ダウンリンク制御チャネルに含まれるスクランブルスケジューリング情報のＲＮＴＩと同じであり、且つ該ＲＮＴＩが、該第一のアクセスネットワーク装置が該端末装置と上位層シグナリング接続をしてある時に配置されるものであり、又は該ＲＮＴＩがネットワークエンティティによって予め配置されて該アクセスネットワーク装置セット内の各アクセスネットワーク装置に送信されたものであり、該第一のアクセスネットワーク装置が該端末装置へ該ダウンリンクデータを送信する前に、該方法はさらに該第一のアクセスネットワーク装置が該端末装置へ該ＲＮＴＩを送信し、該ＲＮＴＩが、該端末装置が該スケジューリング情報を復調するために用いられることを含む。
【０１４５】
具体的には、端末装置は物理ダウンリンク制御チャネルを受信し、該物理ダウンリンク制御チャネルに端末装置のダウンリンクデータのスケジューリング情報が含まれ、端末装置は該スケジューリング情報に基づいてダウンリンクデータを受信する。具体的には、端末装置はネットワーク装置から送信されたＲＮＴＩを受信し、該ＲＮＴＩに基づき、受信された物理ダウンリンク制御チャネルを復調して物理ダウンリンク制御チャネルに含まれるスケジューリング情報を知る。アクセスネットワーク装置セット内の各アクセスネットワーク装置は同じＲＮＴＩを使用してスケジューリング情報をスクランブルし（即ち該アクセスネットワーク装置セットにおけるＲＮＴＩが統一される）、そして端末装置に送信することができる。該ＲＮＴＩはアクセスネットワーク装置が前回端末装置と上位層シグナリング接続を確立する（即ち端末装置がアクティブ状態にある）時又は上位層シグナリング接続を復元する時に配置した該ＲＮＴＩであってもよく、本出願はこれに限定されない。また、ＲＮＴＩは端末装置のコンテキストとしてネットワークノード間で伝送されてもよい。
【０１４６】
アクセスネットワーク装置セット内の各アクセスネットワーク装置は同じＲＮＴＩを使用してスケジューリング情報をスクランブルし（即ち該アクセスネットワーク装置セットにおけるＲＮＴＩが統一される）、そして端末装置に送信することができる。該ＲＮＴＩはネットワーク装置エンティティによって割り当てられ、そして予め配置されてアクセスネットワーク装置セット内の各アクセスネットワーク装置に伝送され、さらに端末装置に送信されることができる。
【０１４７】
選択可能に、ダウンリンクデータはユーザプレーンデータ又は制御プレーンデータであってもよい。具体的には、制御プレーンデータはＲＲＣメッセージ、例えばページング（ｐａｇｉｎｇ）メッセージなどであってもよい。
【０１４８】
選択可能に、本出願の一つの実施例では、該スケジューリング情報はＲＮＴＩによりスクランブルされたスケジューリング情報であり、該方法はさらに該第一のアクセスネットワーク装置が該端末装置へシステム情報を送信し、該システム情報に該ＲＮＴＩが含まれ、該ＲＮＴＩが、該端末装置が該スケジューリング情報を復調するために用いられることを含む。
【０１４９】
具体的には、該ＲＮＴＩはネットワークによって特定されてもよく、アクセスネットワーク装置セット内の各アクセスネットワーク装置はシステム情報にＲＮＴＩを含ませ、端末装置へシステム情報をブロードキャストすることにより、端末装置への該ＲＮＴＩの送信を実現することができる。例えば、該システム情報はＰａｇｉｎｇ情報である。
【０１５０】
選択可能に、該方法はさらに該第一のアクセスネットワーク装置がネットワークエンティティから送信されたリソース配置情報を受信し、該リソース配置情報が、該端末装置がアップリンクデータを送信するために用いられることと、該第一のアクセスネットワーク装置が該端末装置へ該リソース配置情報を送信することとを含む。
【０１５１】
第一のアクセスネットワーク装置はネットワークエンティティから送信された端末装置のアップリンクデータのリソース配置情報を受信し、そして該リソース配置情報を端末装置に送信する。端末装置は該リソース配置情報に基づいて第一のアクセスネットワーク装置へアップリンクデータを送信することができる。このようにして端末装置は上位層シグナリングの接続を復元せずにアップリンクデータを送信することができ、それによって端末装置の電力消費が低減される。
【０１５２】
選択可能に、該第一のアクセスネットワーク装置は該端末装置へ該リソース配置情報を送信することは、該第一のアクセスネットワーク装置が該ダウンリンクデータ又は該物理ダウンリンク制御チャネルによって該端末装置へ該リソース配置情報を送信することを含む。
【０１５３】
具体的には、第一のアクセスネットワーク装置はネットワークエンティティから送信された端末装置のアップリンクデータのリソース配置情報を受信し、そして端末装置から送信されるダウンリンクデータに該リソース配置情報を含ませる。端末装置は該リソース配置情報に基づき、第一のアクセスネットワーク装置へアップリンクデータを送信することができる。又は該端末装置のアップリンクデータのリソース配置情報は物理ダウンリンク制御チャネルに含まれてもよく、それによって端末装置の電力消費が節約される。
【０１５４】
理解すべきものとして、該リソース配置情報はネットワークエンティティによって割り当てられ、そして第一のアクセスネットワーク装置に送信されてもよく、又は該リソース配置情報はアクセスネットワーク装置セット内の、端末装置に現在アクセスされているアクセスネットワーク装置によって割り当てられたものであっても良く、該配置をネットワークエンティティに送信し、ネットワークエンティティが保存し、必要な場合、ネットワークエンティティはアクセスネットワーク装置セット内の他のアクセスネットワーク装置へ該リソース配置情報を送信することができる。
【０１５５】
選択可能に、本出願の一つの実施例では、該リソース配置情報は該アップリンクデータの専用リソース及び／又はアクセスシーケンスを含む。
【０１５６】
第一のアクセスネットワーク装置はダウンリンクデータ又は物理ダウンリンク制御チャネルにアップリンクデータの専用リソースを含ませることが可能であり、又は第一のアクセスネットワーク装置はダウンリンクデータ又は物理ダウンリンク制御チャネルにアップリンクデータのアップリンクデータランダムアクセスのための特定アクセスシーケンスを含ませることが可能である。このようにして、端末装置は上位層シグナリングの接続を復元せずにアップリンクデータを送信することができ、それによって端末装置の電力消費が低減される。
【０１５７】
選択可能に、該方法はさらに該第一のアクセスネットワーク装置が該端末装置から送信されたアップリンクデータを受信することと、該第一のアクセスネットワーク装置が該第一のアクセスネットワーク装置セット内の他のアクセスネットワーク装置へ第一の指示情報を送信し、該第一の指示情報が該端末装置へのダウンリンクデータの送信を停止することを示すことに用いられることとを含む。
【０１５８】
端末装置はアップリンクデータのリソース配置情報を受信した後に、第一のアクセスネットワーク装置へアップリンクデータを送信する。第一のアクセスネットワーク装置が端末装置からのフィードバックが受信されていない場合、端末装置が該第一のアクセスネットワーク装置のカバレッジ内に位置しないことを示す。第一のアクセスネットワーク装置が端末装置から送信されたアップリンクデータを受信した場合、端末装置が現在該第一のアクセスネットワーク装置のカバレッジ範囲内に位置することを判定することができ、該第一のアクセスネットワーク装置は、アクセスネットワーク装置セット内の他のアクセスネットワーク装置に、端末装置への該ダウンリンクデータの送信を停止するように該第二のアクセスネットワーク装置に指示するための指示情報（第一の指示情報と示される）を送信することができ、それによってシステムの電力消費が節約される。
【０１５９】
選択可能に、本出願の一つの実施例では、該方法はさらに該第一のアクセスネットワーク装置が該端末装置から送信されたアップリンクデータを受信することと、該第一のアクセスネットワーク装置がネットワークエンティティへ第二の指示情報を送信し、該第二の指示情報が、該第一のアクセスネットワーク装置のみへ後続のダウンリンクデータを送信するようにネットワークエンティティに指示することに用いられ、ここで、端末に送信されるダウンリンクデータが、該ネットワークエンティティからのものであり、又は該ネットワークエンティティを経由するものであることとを含む。
【０１６０】
第一のアクセスネットワーク装置はそれ自体のカバレッジ内に端末装置が存在することを確定した場合、ネットワークエンティティへ指示情報（第二の指示情報と示される）を送信することができ、ネットワークエンティティは第一のアクセスネットワーク装置のみへダウンリンクデータを送信することができ、それによってシステムの電力消費が節約される。
【０１６１】
したがって、本出願の実施例によるデータ伝送方法では、アクセスネットワーク装置セット内の第一のアクセスネットワーク装置は端末装置へ該端末装置のダウリンクデータのスケジューリング情報を含む物理ダウンリンク制御チャネルを送信し、該アクセスネットワーク装置セットが少なくとも一つのアクセスネットワーク装置を含み、該少なくとも一つのアクセスネットワーク装置のカバレッジ内で該端末装置はハンドオーバーせずに移動することができ、且つ第一のアクセスネットワーク装置は該端末装置へ該ダウンリンクデータを送信し、これにより端末装置は上位層シグナリングの接続を復元せずにダウンリンクデータを受信し、これによりシステム効率が向上し、端末装置の電力消費が低減される。
【０１６２】
理解すべきものとして、本出願の様々な実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１６３】
図７は本出願の一つの実施例によるデータ伝送方法３００の概略図である。該データ伝送方法３００の実行本体は端末装置であってもよい。該データ伝送方法３００はＳ３１０とＳ３２０を含む。
【０１６４】
Ｓ３１０において、端末装置は第一のアクセスネットワーク装置から送信された該物理ダウンリンク制御チャネルを受信し、該物理ダウンリンク制御チャネルに該端末装置のダウンリンクデータのスケジューリング情報が含まれ、該第一のアクセスネットワーク装置が該アクセスネットワーク装置セットに属し、該アクセスネットワーク装置セットが少なくとも一つのアクセスネットワーク装置を含み、且つ該端末装置が該少なくとも一つのアクセスネットワーク装置のカバレッジ内でハンドオーバーせずに移動することができる。
【０１６５】
Ｓ３２０において、該端末装置は該スケジューリング情報に基づき、該第一のアクセスネットワーク装置から送信された該ダウンリンクデータを受信する。
【０１６６】
具体的には、端末装置は、物理ダウンリンク制御チャネルを傍受することにより、ダウンリンクデータを受信することができ、該物理ダウンリンク制御チャネルにスケジューリング情報が含まれる。即ちＵＥはまずＰＤＣＣＨのスケジューリング情報を復調し、どのＰＤＣＣＨがそれ自体に受信されたものであるか否かを確定し、次に復調されたスケジューリング情報（即ちリソース配置など）に基づいてそれ自体に属するダウンリンクデータを受信する必要がある。したがって、第一のアクセスネットワーク装置が端末装置へスケジューリング情報を含む物理ダウンリンク制御チャネルを送信し、第一のアクセスネットワーク装置はアクセスネットワーク装置セット内のいずれかのアクセスネットワーク装置である。即ち、アクセスネットワーク装置セット内の各アクセスネットワーク装置はいずれも端末装置へスケジューリング情報を含む物理ダウンリンク制御チャネルを送信する。一つだけのアクセスネットワークが端末装置に送信することが成功することができる。即ち、端末装置は端末装置の属するアクセスネットワーク装置（第一のアクセスネットワーク装置として示される）から送信された物理ダウンリンク制御チャネルのみを受信することができる。
【０１６７】
注意すべきものとして、第一のアクセスネットワーク装置はアクセスネットワーク装置セット内のいずれかのアクセスネットワーク装置であり、該アクセスネットワーク装置セットが少なくとも一つのアクセスネットワーク装置を含む。端末装置は該アクセスネットワーク装置セット内の全てのアクセスネットワーク装置のカバレッジ内で自由に移動することができ、且つアクセスネットワーク装置のハンドオーバーを行う必要がない。
【０１６８】
選択可能に、本出願の一つの実施例では、該データ伝送方法３００はさらに該端末装置が該第一のアクセスネットワーク装置から送信された該リソース配置情報を受信し、該リソース配置情報が、該端末装置がアップリンクデータを送信するために用いられることと、該端末装置が該リソース配置情報に基づき、該第一のアクセスネットワーク装置へ該アップリンクデータを送信することとを含む。
【０１６９】
具体的には、端末装置は第一のアクセスネットワーク装置から送信されたアップリンクデータのリソース配置情報を受信し、そして該リソース配置情報に基づいて第一のアクセスネットワーク装置へアップリンクデータを送信することができる。このようにして端末装置は上位層シグナリングの接続を復元せずにアップリンクデータを送信することができ、これにより端末装置の電力消費が節約される。
【０１７０】
選択可能に、本出願の一つの実施例では、該端末装置が該第一のアクセスネットワーク装置から送信された該リソース配置情報を受信することは該端末装置が該ダウンリンクデータ又は該物理ダウンリンク制御チャネルに含まれる該リソース配置情報を受信することを含む。
【０１７１】
具体的には、端末装置は該ダウンリンクデータ又は該物理ダウンリンク制御チャネルを受信することにより、該リソース配置情報の受信を実現することができる。即ち、該リソース配置情報はダウンリンクデータ又は物理ダウンリンク制御チャネルに含まれてもよい。このようにして端末装置はリソース配置情報を個別に送信することなく、上位層シグナリングの接続を復元せずにアップリンクデータを送信することができ、これにより端末装置の電力消費がさらに低減される。
【０１７２】
選択可能に、本出願の一つの実施例では、該リソース配置情報は該アップリンクデータの専用リソース及び／又はアクセスシーケンスを含む。
【０１７３】
具体的には、端末装置は第一のアクセスネットワーク装置によってダウンリンクデータ又は物理ダウンリンク制御チャネルに含まれるアップリンクデータの専用リソース、又は第一のアクセスネットワーク装置によってダウンリンクデータ又は物理ダウンリンク制御チャネルに含まれるアップリンクデータのアップリンクデータランダムアクセスのための特定アクセスシーケンスを受信することができる。このようにして端末装置は上位層シグナリングの接続を復元せずにアップリンクデータを送信することができ、これにより、端末装置の電力消費が節約される。
【０１７４】
選択可能に、本出願の一つの実施例では、該第一のアクセスネットワーク装置から送信された該ダウンリンクデータを受信する前に、該データ伝送方法３００はさらに該端末装置が該第一のアクセスネットワーク装置から送信された無線ネットワーク一時識別子（ＲＮＴＩ）を受信することと、該端末装置が該ＲＮＴＩに基づき、該スケジューリング情報を復調することとを含む。
【０１７５】
具体的には、端末装置はアクセスネットワーク装置から送信されたＲＮＴＩを受信し、該ＲＮＴＩに基づき、受信された物理ダウンリンク制御チャネルを復調して物理ダウンリンク制御チャネルに搬送されたスケジューリング情報を知る。端末装置は上位層シグナリングの接続を復元せずにダウンリンクデータを受信することができ、それによって端末装置の電力消費が節約される。
【０１７６】
選択可能に、本出願の一つの実施例では、該端末装置が該第一のアクセスネットワーク装置から送信されたＲＮＴＩを受信することは、該端末装置が該第一のアクセスネットワーク装置から送信されたシステム情報を受信し、該システム情報に該ＲＮＴＩが含まれることを含む。
【０１７７】
具体的には、端末装置はシステム情報からＲＮＴＩを受信し、そして該ＲＮＴＩに基づいて物理ダウンリンク制御チャネルに搬送されたスケジューリング情報を復調して知ることができる。端末装置は上位層シグナリングの接続を復元せずにダウンリンクデータを受信することができ、それによって端末装置の電力消費が節約される。
【０１７８】
選択可能に、本出願の一つの実施例では、該方法はさらに該端末装置が該第一のアクセスネットワーク装置の特徴情報を受信することを含み、ここで、該端末装置が第一のアクセスネットワーク装置から送信された物理ダウンリンク制御チャネルを受信することは、該端末装置が該特徴情報に基づき、該第一のアクセスネットワーク装置から送信された物理ダウンリンク制御チャネルを受信することを含む。
【０１７９】
具体的には、端末装置は第一のアクセスネットワーク装置から送信された物理ダウンリンク制御チャネルの特徴情報を受信し、該特徴情報に基づいて該物理ダウンリンク制御チャネルを正確に受信することができ、それによってシステム効率が向上する。
【０１８０】
選択可能に、本出願の一つの実施例では、該データ伝送方法３００はさらに該端末装置が該第一のアクセスネットワーク装置の特徴情報を受信することを含み、該端末装置が該第一のアクセスネットワーク装置の特徴情報を受信することは、該端末装置が該第一のアクセスネットワーク装置から送信されたシステム情報を受信し、該システム情報に該第一のアクセスネットワーク装置の特徴情報が含まれることを含む。
【０１８１】
具体的には、端末装置は第一のアクセスネットワーク装置から送信されたシステム情報を受信し、これにより該物理ダウンリンク制御チャネルを正確に受信することができる。
【０１８２】
選択可能に、本出願の一つの実施例では、該特徴情報は時間領域リソース情報、周波数領域リソース情報、サブ搬送波間隔情報及び／又はサブフレーム構造情報を含む。
【０１８３】
具体的には、第一のアクセスネットワーク装置が予め設定された時間領域位置によって物理ダウンリンク制御チャネルを（即ち周期的）に送信する場合、端末装置は非連続受信方式に従って該物理ダウンリンク制御チャネルを受信する。第一のアクセスネットワーク装置が他の特徴情報によって物理ダウンリンク制御チャネルを送信する場合、端末装置は受信された対応する特徴情報に基づいて該物理ダウンリンク制御チャネルを正確に受信する。
【０１８４】
選択可能に、本出願の一つの実施例では、該ダウンリンクデータはユーザプレーンデータ又は制御プレーンデータである。
【０１８５】
制御プレーンデータは無線リソース制御メッセージ、例えばページング（ｐａｇｉｎｇ）メッセージなどであってもよい。
【０１８６】
したがって、本出願の実施例によるデータ伝送方法では、端末装置はアクセスネットワーク装置セット内の第一のアクセスネットワーク装置から送信された物理ダウンリンク制御チャネルを受信し、該アクセスネットワーク装置セットが少なくとも一つのアクセスネットワーク装置を含み、且つ該端末装置は該少なくとも一つのアクセスネットワーク装置のカバレッジ内でハンドオーバーせずに移動することができ、且つ第一のアクセスネットワーク装置が該端末装置へ該ダウンリンクデータを送信し、これにより端末装置は上位層シグナリングの接続を復元せずにダウンリンクデータを受信し、それによってシステム効率が向上し、端末装置の電力消費が低減される。
【０１８７】
図８は本出願の一つの実施例によるデータ伝送方法４００の概略図である。該データ伝送方法４００の実行本体はネットワークエンティティであってもよい。該データ伝送方法４００はＳ４１０とＳ４２０を含む。
【０１８８】
Ｓ４１０において、ネットワークエンティティはアクセスネットワーク装置セットを確定し、該アクセスネットワーク装置セットが少なくとも一つのアクセスネットワーク装置を含み、且つ該少なくとも一つのアクセスネットワーク装置のカバレッジ内で該端末装置はハンドオーバーせずに移動することができる。
【０１８９】
Ｓ４２０において、該ネットワークエンティティはアクセスネットワーク装置セット内のアクセスネットワーク装置へダウンリンクデータを送信し、前記アクセスネットワーク装置が前記ダウンリンクデータを前記端末装置に送信するようにする。
【０１９０】
アクセスネットワーク装置セットは少なくとも一つのアクセスネットワーク装置を含み、該アクセスネットワーク装置セットが一つの論理エンティティ（ネットワークエンティティと示される）により管理されてもよい。例えば、ネットワークエンティティは該アクセスネットワーク装置セットにいくつのアクセスネットワーク装置があるか、及び端末のコンテキスト情報に対する配置、保存など、及びアクセスネットワーク装置とコアネットワーク装置の間のユーザーベアラの接続などを知ることができる。ネットワーク側はダウンリンクデータをネットワークエンティティに送信し、ネットワークエンティティによってアクセスネットワーク装置セット内の各アクセスネットワーク装置に転送することができる。アクセスネットワーク装置セット内の各アクセスネットワーク装置は端末装置へ該ダウンリンクデータを送信し、これにより端末装置は上位層シグナリングの接続を復元せずにダウンリンクデータを受信し、それによってシステム効率が向上し、端末装置の電力消費が低減される。
【０１９１】
選択可能に、本出願の一つの実施例では、該ネットワークエンティティはコアネットワーク装置であり、ここで、該ネットワークエンティティが該アクセスネットワーク装置セット内のアクセスネットワーク装置へ該ダウンリンクデータを送信することは該コアネットワーク装置が該少なくとも一つのアクセスネットワーク装置における各アクセスネットワーク装置へ該ダウンリンクデータを送信することを含む。
【０１９２】
ネットワークエンティティがコアネットワーク装置であり、ダウンリンクデータを送信する必要がある場合、ネットワーク側（例えばサーバ）はダウンリンクデータをコアネットワーク装置に直接送信し、コアネットワーク装置によってアクセスネットワーク装置セット内の各アクセスネットワーク装置に転送することができる。該コアネットワーク装置が該アクセスネットワーク装置に直接接続されない場合、コアネットワークはまず該アクセスネットワーク装置との接続を確立し、次にアクセスネットワーク装置セット内の各アクセスネットワーク装置によって端末装置に送信することができ、これにより端末装置は上位層シグナリングの接続を復元せずにダウンリンクデータを受信し、それによってシステム効率が向上し、端末装置の電力消費が低減される。
【０１９３】
選択可能に、本出願の一つの実施例では、該ネットワークエンティティは該アクセスネットワーク装置セット内の第二のアクセスネットワーク装置であり、ここで、該ネットワークエンティティがアクセスネットワーク装置セット内のアクセスネットワーク装置へ該ダウンリンクデータを送信することは該第二のアクセスネットワーク装置が該アクセスネットワーク装置セット内の該第二のアクセスネットワーク装置以外の全てのアクセスネットワーク装置へ該ダウンリンクデータを送信することを含む。
【０１９４】
第二のアクセスネットワーク装置はダウンリンクデータを第一のアクセスネットワーク装置セット内の該第二のアクセスネットワーク装置以外の全てのアクセスネットワーク装置に送信することができ、それによってアクセスネットワーク装置セット内の他のアクセスネットワーク装置は同時に端末装置へダウンリンクデータを送信することができ、これにより端末装置は上位層シグナリングの接続を復元せずにダウンリンクデータを受信し、それによってシステム効率が向上し、端末装置の電力消費が低減される。
【０１９５】
選択可能に、本出願の一つの実施例では、該方法はさらに該第二のアクセスネットワーク装置が該端末装置へ該ダウンリンクデータを送信することを含む。
【０１９６】
第二のアクセスネットワーク装置はそれ自体にカバーされたネットワークへダウンリンクデータを送信することもでき、即ち、アクセスネットワーク装置セット内の全てのアクセスネットワーク装置は同時に端末装置へダウンリンクデータを送信することができ、これにより端末装置は上位層シグナリングの接続を復元せずにダウンリンクデータを受信し、それによってシステム効率が向上し、端末装置の電力消費が低減される。
【０１９７】
選択可能に、本出願の一つの実施例では、該データ伝送方法４００はさらに該ネットワークエンティティが該アクセスネットワーク装置セット内の第一のアクセスネットワーク装置から送信された指示情報を受信し、該指示情報が該第二のアクセスネットワーク装置のみへ後続のダウンリンクデータを送信するようにネットワークエンティティに指示することに用いられることと、該ネットワークエンティティが該第一のアクセスネットワーク装置のみへ後続のダウンリンクデータを送信することとを含む。
【０１９８】
ネットワークエンティティは、第一のアクセスネットワーク装置が、端末装置がそれ自体に属することを確定する時に送信した指示情報を受信することができ、ネットワークエンティティは、第一のアクセスネットワーク装置のみへダウンリンクデータを送信することができ、それによってシステムの電力消費が節約される。
【０１９９】
選択可能に、本出願の一つの実施例では、該データ伝送方法４００はさらに該ネットワークエンティティが該アクセスネットワーク装置セット内のアクセスネットワーク装置によって該端末装置へリソース配置情報を送信し、該リソース配置情報が、該端末装置がアップリンクデータを送信するために用いられることを含む。
【０２００】
ネットワークエンティティはアクセスネットワーク装置セット内のアクセスネットワーク装置によって端末装置へアップリンクデータのリソース配置情報を送信することができ、これにより端末装置は該リソース配置情報に基づいてアクセスネットワーク装置へアップリンクデータを送信することができ、それによって端末装置は上位層シグナリングの接続を復元せずにアップリンクデータを送信することができ、それによってシステム効率が向上し、端末装置の電力消費が低減される。
【０２０１】
選択可能に、本出願の一つの実施例では、該リソース配置情報は該アップリンクデータの専用リソース及び／又はアクセスシーケンスを含む。
【０２０２】
選択可能に、本出願の一つの実施例では、該データ伝送方法４００はさらに該ネットワークエンティティが該アクセスネットワーク装置セット内のアクセスネットワーク装置によって該端末装置へ該物理ダウンリンク制御チャネルの特徴情報を送信し、該特徴情報が該物理ダウンリンク制御チャネルを受信するように該端末装置に指示することに用いられることを含む。
【０２０３】
ネットワークエンティティは物理ダウンリンク制御チャネルのための特徴情報を配置し、そしてアクセスネットワーク装置セット内のアクセスネットワーク装置によって端末装置に送信することができ、該特徴情報がコンテキスト情報として各ネットワークノード間で伝送されてもよい。
【０２０４】
選択可能に、本出願の一つの実施例では、該特徴情報は時間領域リソース情報、周波数領域リソース情報、サブ搬送波間隔情報及び／又はサブフレーム構造情報を含む。
【０２０５】
選択可能に、本出願の一つの実施例では、該ダウンリンクデータはユーザプレーンデータ又は制御プレーンデータである。
【０２０６】
制御プレーンデータは無線リソース制御メッセージ、例えばページング（ｐａｇｉｎｇ）メッセージなどであってもよい。
【０２０７】
したがって、本出願の実施例におけるデータ伝送方法では、ネットワークエンティティは少なくとも一つのアクセスネットワーク装置を含むアクセスネットワーク装置セットを確定し、そしてアクセスネットワーク装置セット内のアクセスネットワーク装置へ該端末装置のダウンリンクデータを送信し、該アクセスネットワーク装置は該端末装置へ該ダウンリンクデータを送信し、該少なくとも一つのアクセスネットワーク装置のカバレッジ内で該端末装置はハンドオーバーせずに移動することができ、これにより端末装置は上位層シグナリングの接続を復元せずにダウンリンクデータを受信し、それによってシステム効率が向上され、端末装置の電力消費が低減される。
【０２０８】
以下に図９を参照して本出願の実施例を詳細に説明する。注意すべきものとして、これは当業者が本出願の実施例をより良く理解するためのものだけであり、本出願の実施例の範囲を制限するためのものではない。
【０２０９】
６０１において、アクセスネットワーク装置は端末装置へ物理ダウンリンク制御チャネルを送信し、該物理ダウンリンク制御チャネルに該端末装置のダウンリンクデータのスケジューリング情報が含まれる。
【０２１０】
該アクセスネットワーク装置はアクセスネットワーク装置セット内のいずれかのアクセスネットワーク装置であり、該アクセスネットワーク装置セットが少なくとも一つのアクセスネットワーク装置（例えば図９におけるアクセスネットワーク装置１、アクセスネットワーク装置２とアクセスネットワーク装置３）を含む。端末装置は該アクセスネットワーク装置セット内の全てのアクセスネットワーク装置のカバレッジ内で自由に移動することができ、且つアクセスネットワーク装置のハンドオーバーを行う必要がない。即ち、アクセスネットワーク装置セット内の各アクセスネットワーク装置はいずれも端末装置へ物理ダウンリンク制御チャネルを送信する。
【０２１１】
選択可能に、該アクセスネットワーク装置は該端末装置へ該物理ダウンリンク制御チャネルの特徴情報を送信し、該特徴情報が該物理ダウンリンク制御チャネルを受信するように該端末装置に指示することに用いられる。
【０２１２】
６０２において、アクセスネットワーク装置はネットワークエンティティから送信されたダウンリンクデータを受信する。
【０２１３】
該ネットワークエンティティは該アクセスネットワーク装置セット内のあるアクセスネットワーク装置、又はコアネットワーク装置、又はアクセスネットワーク装置セット以外の独立したネットワークエンティティなどであってもよく、本出願はこれに限定されない。
【０２１４】
理解すべきものとして、ステップ６０２はステップ６０１と同時に発生し、又はステップ６０１の前に発生することができ、本出願はこれに限定されない。
【０２１５】
６０３において、端末装置はＲＮＴＩを受信する。
【０２１６】
アクセスネットワーク装置セット内の各アクセスネットワーク装置はいずれも端末装置へダウンリンク制御チャネルとダウンリンクデータを送信するが、端末装置の属するアクセスネットワーク装置（アクセスネットワーク装置１と示される）だけが端末装置に送信することが成功することができる。
【０２１７】
６０４において、端末装置は該ＲＮＴＩに基づき、物理ダウンリンク制御チャネルに含まれるダウンリンクデータのスケジューリング情報を復調する。
【０２１８】
６０５において、アクセスネットワーク装置１はダウンリンクデータを送信し、該ダウンリンクデータにアップリンクデータのリソース配置情報が含まれてもよい。
【０２１９】
選択可能に、該アップリンクデータのリソース配置情報はステップ６０１におけるダウンリンク制御チャネルに含まれてもよく、本出願はこれに限定されない。
【０２２０】
６０６において、端末装置はスケジューリング情報に基づき、アクセスネットワーク装置１から送信されたダウンリンクデータを受信する。
【０２２１】
このようにして端末装置はリソース配置情報に基づき、アクセスネットワーク装置１へアップリンクデータを送信する。選択可能に、該リソース配置情報は該アップリンクデータの専用リソース及び／又はアクセスシーケンスを含むことができる。アクセスネットワーク装置１はアップリンクデータを受信し、アクセスネットワーク装置１はそれ自体のカバレッジ内に端末装置が現在位置することを判定することができ、該アクセスネットワーク装置１はネットワークエンティティ又はコアネットワーク装置へ指示情報を送信することができ、ネットワークエンティティ又はコアネットワーク装置は第一のアクセスネットワーク装置のみへダウンリンクデータを送信することができる。
【０２２２】
選択可能に、該アクセスネットワーク装置１はアクセスネットワーク装置セット内の他のアクセスネットワーク装置（アクセスネットワーク装置２とアクセスネットワーク装置３）へ端末装置への該ダウンリンクデータの送信を停止することを示すための指示情報を送信することができる。
【０２２３】
したがって、本出現の実施例によるデータ伝送方法では、アクセスネットワーク装置セット内の各アクセスネットワーク装置は端末装置へ該端末装置のダウンリンクデータのスケジューリング情報を含む物理ダウンリンク制御チャネルを送信し、該アクセスネットワーク装置セットは少なくとも一つのアクセスネットワーク装置を含み、該少なくとも一つのアクセスネットワーク装置のカバレッジ内で該端末装置はハンドオーバーせずに移動することができ、且つアクセスネットワーク装置セット内の各アクセスネットワーク装置は該端末装置へ該ダウンリンクデータを送信し、これにより端末装置は上位層シグナリングの接続を復元せずにダウンリンクデータを受信し、それによってシステム効率が向上し、端末装置の電力消費が低減される。
【０２２４】
理解すべきものとして、本出願の様々な実施例では、上記各プロセスの番号の大きさが実行順序を意味せず、各プロセスの実行順序はその機能と内部ロジックによって確定されるべきであり、本出願の実施例の実施プロセスのいかなる限定を構成すべきではないと理解すべきである。
【０２２５】
以上に本出願の実施例によるデータ伝送方法を詳細に説明し、以下に本出願の実施例によるアクセスネットワーク装置、端末装置とネットワークエンティティを説明する。
【０２２６】
図１０は本出願の実施例によるアクセスネットワーク装置７００の概略ブロック図である。図１０に示すように、該アクセスネットワーク装置７００は送信モジュール７１０を備える。
【０２２７】
送信モジュール７１０は、端末装置へ物理ダウンリンク制御チャネルを送信するように構成され、該物理ダウンリンク制御チャネルに該端末装置のダウンリンクデータのスケジューリング情報が含まれ、該アクセスネットワーク装置がアクセスネットワーク装置セット内のいずれかのアクセスネットワーク装置であり、該アクセスネットワーク装置セットが少なくとも一つのアクセスネットワーク装置を含み、且つ該少なくとも一つのアクセスネットワーク装置のカバレッジ内で該端末装置がハンドオーバーせずに移動することができる。
【０２２８】
該送信モジュール７１０はさらに該端末装置へ該ダウンリンクデータを送信するように構成される。
【０２２９】
選択可能に、本出願の実施例では、該第一のアクセスネットワーク装置はさらに受信モジュールを備える。
【０２３０】
受信モジュールは、ネットワークエンティティから送信された該ダウンリンクデータを受信するように構成される。
【０２３１】
選択可能に、本出願の実施例では、該ネットワークエンティティはコアネットワーク装置である。
【０２３２】
選択可能に、本出願の実施例では、該ネットワークエンティティは該アクセスネットワーク装置セット内の第二のアクセスネットワーク装置である。
【０２３３】
選択可能に、本出願の実施例では、該受信モジュールはさらにネットワークエンティティから送信されたリソース配置情報を受信するように構成され、該リソース配置情報が、該端末装置がアップリンクデータを送信するために用いられる。
【０２３４】
該送信モジュール７１０はさらに該端末装置へ該リソース配置情報を送信するように構成される。
【０２３５】
選択可能に、本出願の実施例では、該送信モジュール７１０は具体的に該ダウンリンクデータ又は該物理ダウンリンク制御チャネルによって該リソース配置情報を送信するように構成される。
【０２３６】
選択可能に、本出願の実施例では、該第一のアクセスネットワーク装置はさらに該端末装置から送信されたアップリンクデータを受信するように構成される該受信モジュールを備え、該送信モジュール７１０はさらに該第一のアクセスネットワーク装置セット内の他のアクセスネットワーク装置へ第一の指示情報を送信するように構成され、該第一の指示情報が該端末装置へのダウンリンクデータの送信を停止することを示すことに用いられる。
【０２３７】
選択可能に、本出願の実施例では、該受信モジュールはさらに該端末装置から送信されたアップリンクデータを受信するように構成され、該送信モジュール７１０はさらにネットワークエンティティへ第二の指示情報を送信するように構成され、該第二の指示情報が該第一のアクセスネットワーク装置のみへ後続のダウンリンクデータを送信するようにネットワークエンティティに指示することに用いられ、ここで、端末に送信されたダウンリンクデータが該ネットワークエンティティからのものであり、又は該ネットワークエンティティを通過する。
【０２３８】
選択可能に、本出願の実施例では、該リソース配置情報は該アップリンクデータの専用リソース及び／又はアクセスシーケンスを含む。
【０２３９】
選択可能に、本出願の実施例では、該第一のアクセスネットワーク装置はさらに該物理ダウンリンク制御チャネルの特徴情報を確定するように構成され、該特徴情報が、該第一のアクセスネットワーク装置が該端末装置に接続される時に配置したものである確定モジュールを備え、該送信モジュール７１０はさらに該端末装置へ該特徴情報を送信するように構成され、該特徴情報が該物理ダウンリンク制御チャネルを受信するように該端末装置に指示することに用いられる。
【０２４０】
選択可能に、本出願の実施例では、該特徴情報は該第一のアクセスネットワーク装置が該端末装置と上位層シグナリング接続をしてある時にに配置されるものである。
【０２４１】
選択可能に、本出願の実施例では、該受信モジュールはさらにネットワークエンティティから送信された該物理ダウンリンク制御チャネルの特徴情報を受信するように構成され、該特徴情報が該ネットワークエンティティによって配置され、該送信モジュール７１０はさらに該端末装置へ該特徴情報を送信するように構成され、該特徴情報が該物理ダウンリンク制御チャネルを受信するように該端末装置に指示することに用いられる。
【０２４２】
選択可能に、本出願の実施例では、該特徴情報は該ネットワークエンティティによって配置される。
【０２４３】
選択可能に、本出願の実施例では、該送信モジュール７１０は具体的に、システム情報によって、システム情報に含まれる該特徴情報を該端末装置へ送信するように構成される。
【０２４４】
選択可能に、本出願の実施例では、該特徴情報は時間領域リソース情報、周波数領域リソース情報、サブ搬送波間隔情報及び／又はサブフレーム構造情報を含む。
【０２４５】
選択可能に、本出願の実施例では、該スケジューリング情報は該端末装置に対応する無線ネットワーク一時識別子（ＲＮＴＩ）によりスクランブルされたスケジューリング情報であり、該送信モジュール７１０はさらに該端末装置へ該ＲＮＴＩを送信するように構成され、該ＲＮＴＩが該スケジューリング情報を復調するために該端末装置によって使用され、該ＲＮＴＩが該アクセスネットワーク装置セット内の他のアクセスネットワーク装置の物理ダウンリンク制御チャネルに含まれるスクランブルスケジューリング情報のＲＮＴＩと同じであり、且つ該ＲＮＴＩが、該第一のアクセスネットワーク装置が該端末装置と上位層シグナリング接続をしてある時に配置されるものであり、又は該ＲＮＴＩがネットワークエンティティによって予め配置されて該アクセスネットワーク装置セット内の各アクセスネットワーク装置に送信されたものである。
【０２４６】
選択可能に、本出願の実施例では、該スケジューリング情報はＲＮＴＩによりスクランブルされたスケジューリング情報であり、該送信モジュール７１０はさらに該端末装置へシステム情報を送信するように構成され、該システム情報に該ＲＮＴＩが含まれ、該ＲＮＴＩが、該端末装置が該スケジューリング情報を復調するために用いられる。
【０２４７】
選択可能に、本出願の実施例では、該ダウンリンクデータはユーザプレーンデータ又は制御プレーンデータである。
【０２４８】
したがって、本出願の実施例による第一のアクセスネットワーク装置では、端末装置へ該端末装置のダウンリンクデータのスケジューリング情報を含む物理ダウンリンク制御チャネルを送信し、該アクセスネットワーク装置セットが少なくとも一つのアクセスネットワーク装置を含み、該少なくとも一つのアクセスネットワーク装置のカバレッジ内で該端末装置はハンドオーバーせずに移動することができ、且つ該第一のアクセスネットワーク装置は該端末装置へ該ダウンリンクデータを送信し、これにより端末装置は上位層シグナリングの接続を復元せずにダウンリンクデータを受信し、それによってシステム効率が向上し、端末装置の電力消費が低減される。
【０２４９】
図１１は本出願の実施例による端末装置８００の概略ブロック図である。図１１に示すように、該端末装置８００は受信モジュール８１０を備える。
【０２５０】
受信モジュール８１０は第一のアクセスネットワーク装置から送信された該物理ダウンリンク制御チャネルを受信するように構成され、該物理ダウンリンク制御チャネルに該端末装置のダウンリンクデータのスケジューリング情報が含まれ、該第一のアクセスネットワーク装置が該アクセスネットワーク装置セット内のアクセスネットワーク装置であり、該アクセスネットワーク装置セットが少なくとも一つのアクセスネットワーク装置を含み、且つ該端末装置が該少なくとも一つのアクセスネットワーク装置のカバレッジ内でハンドオーバーせずに移動することができる。
【０２５１】
該受信モジュール８１０はさらに該スケジューリング情報に基づき、該第一のアクセスネットワーク装置から送信された該ダウンリンクデータを受信するように構成される。
【０２５２】
選択可能に、本出願の実施例では、該受信モジュールはさらに該第一のアクセスネットワーク装置から送信された該リソース配置情報を受信するように構成され、該リソース配置情報がアップリンクデータを送信するために該端末装置によって使用され、該送信モジュールは該リソース配置情報に基づき、該第一のアクセスネットワーク装置へ該アップリンクデータを送信するように構成される。
【０２５３】
選択可能に、本出願の実施例では、該受信モジュール８１０は具体的に該ダウンリンクデータ又は該物理ダウンリンク制御チャネルに含まれる該リソース配置情報を受信するように構成される。
【０２５４】
選択可能に、本出願の実施例では、該リソース配置情報は該アップリンクデータの専用リソース及び／又はアクセスシーケンスを含む。
【０２５５】
選択可能に、本出願の実施例では、該受信モジュール８１０はさらに該第一のアクセスネットワーク装置から送信された無線ネットワーク一時識別子（ＲＮＴＩ）を受信するように構成され、処理モジュールは、該ＲＮＴＩに基づき、該スケジューリング情報を復調するように構成される。
【０２５６】
選択可能に、本出願の実施例では、該受信モジュール８１０は具体的に該第一のアクセスネットワーク装置から送信されたシステム情報を受信するように構成され、該システム情報に該ＲＮＴＩが含まれる。
【０２５７】
選択可能に、本出願の実施例では、該受信モジュール８１０はさらに該第一のアクセスネットワーク装置の特徴情報を受信するように構成され、該受信モジュール８１０は具体的に該特徴情報に基づき、該第一のアクセスネットワーク装置から送信された物理ダウンリンク制御チャネルを受信するように構成される。
【０２５８】
選択可能に、本出願の実施例では、該受信モジュール８１０は具体的に該第一のアクセスネットワーク装置から送信されたシステム情報を受信するように構成され、該システム情報に該第一のアクセスネットワーク装置の特徴情報が含まれる。
【０２５９】
選択可能に、本出願の実施例では、該特徴情報は時間領域リソース情報、周波数領域リソース情報、サブ搬送波間隔情報及び／又はサブフレーム構造情報を含む。
【０２６０】
選択可能に、本出願の実施例では、該ダウンリンクデータはユーザプレーンデータ又は制御プレーンデータである。
【０２６１】
したがって、本出願の実施例による端末装置では、アクセスネットワーク装置セット内の第一のアクセスネットワーク装置から送信された物理ダウンリンク制御チャネルを受信し、該アクセスネットワーク装置セットが少なくとも一つのアクセスネットワーク装置を含み、且つ該端末装置は該少なくとも一つのアクセスネットワーク装置のカバレッジ内でハンドオーバーせずに移動することができ、且つ第一のアクセスネットワーク装置は該端末装置へ該ダウンリンクデータを送信し、これにより端末装置は上位層シグナリングの接続を復元せずにダウンリンクデータを受信し、これによりシステム効率が向上し、端末装置の電力消費が低減される。
【０２６２】
図１２は本出願の実施例によるネットワークエンティティ９００の概略ブロック図である。図１２に示すように、該ネットワークエンティティ９００は確定モジュール９１０と送信モジュール９２０を備える。
【０２６３】
確定モジュール９１０はアクセスネットワーク装置セット内のアクセスネットワーク装置へ物理ダウンリンク制御チャネルを送信するように構成され、該物理ダウンリンク制御チャネルに該端末装置のダウンリンクデータのスケジューリング情報が含まれ、該アクセスネットワーク装置セットが少なくとも一つのアクセスネットワーク装置を含み、且つ該少なくとも一つのアクセスネットワーク装置のカバレッジ内で該端末装置はハンドオーバーせずに移動することができる。
【０２６４】
送信モジュール９２０は、該アクセスネットワーク装置がダウンリンクデータを該端末装置に送信するように、該アクセスネットワーク装置セット内のアクセスネットワーク装置へ該ダウンリンクデータを送信するように構成される。
【０２６５】
選択可能に、本出願の実施例では、該ネットワークエンティティはコアネットワーク装置であり、該送信モジュール９２０は具体的に該少なくとも一つのアクセスネットワーク装置における各アクセスネットワーク装置へ該ダウンリンクデータを送信するように構成される。
【０２６６】
選択可能に、本出願の実施例では、該ネットワークエンティティは該アクセスネットワーク装置セット内の第二のアクセスネットワーク装置であり、該送信モジュール９２０は具体的に該アクセスネットワーク装置セット内の該第二のアクセスネットワーク装置以外の全てのアクセスネットワーク装置へ該ダウンリンクデータを送信するように構成される。
【０２６７】
選択可能に、本出願の実施例では、該送信モジュール９２０はさらに該端末装置へ物理ダウンリンク制御チャネルを送信するように構成され、該物理ダウンリンク制御チャネルに該端末装置のダウンリンクデータのスケジューリング情報が含まれ、該送信モジュールはさらに該端末装置へ該ダウンリンクデータを送信するように構成される。
【０２６８】
選択可能に、本出願の実施例では、該受信モジュールはさらに該アクセスネットワーク装置セット内の第一のアクセスネットワーク装置から送信された指示情報を受信するように構成され、該指示情報が該第二のアクセスネットワーク装置のみへ後続のダウンリンクデータを送信するようにネットワークエンティティに指示することに用いられ、該送信モジュール９２０はさらに該第一のアクセスネットワーク装置のみへ後続のダウンリンクデータを送信するように構成される。
【０２６９】
選択可能に、本出願の実施例では、該送信モジュール９２０は、さらに該アクセスネットワーク装置セット内のアクセスネットワーク装置によって該端末装置へリソース配置情報を送信するように構成され、該リソース配置情報が、該端末装置がアップリンクデータを送信するために用いられる。
【０２７０】
選択可能に、本出願の実施例では、該リソース配置情報は該アップリンクデータの専用リソース及び／又はアクセスシーケンスを含む。
【０２７１】
選択可能に、本出願の実施例では、該送信モジュール９２０はさらに該アクセスネットワーク装置セット内のアクセスネットワーク装置によって該端末装置へ該物理ダウンリンク制御チャネルの特徴情報を送信するように構成され、該特徴情報が該物理ダウンリンク制御チャネルを受信するように該端末装置に指示することに用いられる。
【０２７２】
選択可能に、本出願の実施例では、該特徴情報は時間領域リソース情報、周波数領域リソース情報、サブ搬送波間隔情報及び／又はサブフレーム構造情報を含む。
【０２７３】
選択可能に、本出願の実施例では、該ダウンリンクデータはユーザプレーンデータ又は制御プレーンデータである。
【０２７４】
したがって、本出願の実施例によるネットワークエンティティでは、少なくとも一つのアクセスネットワーク装置を含むアクセスネットワーク装置セットを確定し、そしてアクセスネットワーク装置セット内のアクセスネットワーク装置へ該端末装置のダウンリンクデータを送信し、該アクセスネットワーク装置は該端末装置へ該ダウンリンクデータを送信し、該少なくとも一つのアクセスネットワーク装置のカバレッジ内で該端末装置はハンドオーバーせずに移動することができ、これにより端末装置は上位層シグナリングの接続を復元せずにダウンリンクデータを受信し、それによってシステム効率が向上され、端末装置の電力消費が低減される。
【０２７５】
図１３は本出願の実施例によるデータ伝送システム１０００の概略ブロック図である。該データ伝送システム１０００は、
上記の本出願の実施例によるアクセスネットワーク装置７００、本出願の実施例による端末装置８００と本出願の実施例によるネットワークエンティティ９００を備える。
【０２７６】
図１４に本出願の実施例によるアクセスネットワーク装置の構造が示され、少なくとも一つのプロセッサ１１０２（例えばコンピューティングと処理能力を備えた汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）など）を備え、プロセッサがＯＢＵ装置における各モジュールとデバイスを管理及びスケジューリングする。また、少なくとも一つのネットワークインタフェース１１０５又は他の通信インタフェース、メモリ１１０６と少なくとも一つのバスシステム１１０３を備える。ＯＢＵの各部材はバスシステム１１０３を介して結合され、ここでバスシステム１１０３はデータバス、電源バス、制御バスと状態信号バスなどを含む可能性があるが、明確に説明するために、図において様々なバスはバスシステム１１０３として標識される。
【０２７７】
上記の本出願の実施例で開示される方法はプロセッサ１１０２に応用されてもよく、又はメモリ１１０６に記憶された実行可能モジュール、例えばコンピュータプログラムを実行することに用いられてもよい。メモリ１１０６は高速ランダムアクセスメモリ（ＲＡＭ：Ｒａｎｄｏｍ  Ａｃｃｅｓｓ  Ｍｅｍｏｒｙ）を含む可能性があり、非不安定なメモリ（ｎｏｎ−ｖｏｌａｔｉｌｅ  ｍｅｍｏｒｙ）をさらに含む可能性もあり、メモリは読み出し専用メモリ及びランダムアクセスメモリを含み、そしてプロセッサに必要なシグナリング又はデータ、プログラムなどを提供することができる。メモリの一部はさらに不揮発性ラインランダムアクセスメモリ（ＮＶＲＡＭ）を含むことができる。少なくとも一つのネットワークインタフェース１１０５（有線又は無線であってもよい）によって少なくとも一つの他のネットワーク要素との通信接続を実現する。
【０２７８】
いくつかの実施形態では、メモリ１１０６はプログラム１１０６１を記憶しており、プロセッサ１１０２は以下の操作を実行するためのプログラム１１０６１を実行する：
ネットワークインタフェース１１０５を介して端末装置へ物理ダウンリンク制御チャネルを送信し、該物理ダウンリンク制御チャネルに該端末装置のダウンリンクデータのスケジューリング情報が含まれ、該アクセスネットワーク装置はアクセスネットワーク装置セット内のいずれかのアクセスネットワーク装置であり、該アクセスネットワーク装置セットは少なくとも一つのアクセスネットワーク装置を含み、且つ該少なくとも一つのアクセスネットワーク装置のカバレッジ範囲内で該端末装置はハンドオーバーせずに移動することができ、
ネットワークインタフェース１１０５を介して該端末装置へ該ダウンリンクデータを送信する。
【０２７９】
説明すべきものとして、該アクセスネットワーク装置は具体的に上記実施例におけるアクセスネットワーク装置であってもよく、且つ上記方法の実施例におけるアクセスネットワーク装置に対応する各ステップ及び／又はプロセスを実行することに用いられてもよい。
【０２８０】
本出願の実施例による上記の技術的解決策から分かるように、第一のアクセスネットワーク装置は端末装置へ該端末装置のダウンリンクデータのスケジューリング情報を含む物理ダウンリンク制御チャネルを送信し、該アクセスネットワーク装置セットが少なくとも一つのアクセスネットワーク装置を含み、該少なくとも一つのアクセスネットワーク装置のカバレッジ内で該端末装置はハンドオーバーせずに移動することができ、且つ該第一のアクセスネットワーク装置は該端末装置へ該ダウンリンクデータを送信し、これにより端末装置は上位層シグナリングの接続を復元せずにダウンリンクデータを受信し、それによってシステム効率が向上し、端末装置の電力消費が低減される。
【０２８１】
図１５に本出願の実施例による端末装置の構造が示され、少なくとも一つのプロセッサ１２０２（例えばコンピューティングと処理能力を備えた汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）など）を備え、プロセッサがＯＢＵ装置における各モジュールとデバイスを管理及びスケジューリングする。また、少なくとも一つのネットワークインタフェース１２０５又は他の通信インタフェース、メモリ１２０６と少なくとも一つのバスシステム１２０３を備える。ＯＢＵの各部材はバスシステム１２０３を介して結合され、ここでバスシステム１２０３はデータバス、電源バス、制御バスと状態信号バスなどを含む可能性があるが、明確に説明するために、図において様々なバスはバスシステム１２０３として標識される。
【０２８２】
上記の本出願の実施例で開示される方法はプロセッサ１２０２に応用されてもよく、又はメモリ１２０６に記憶された実行可能モジュール、例えばコンピュータプログラムを実行することに用いられてもよい。メモリ１２０６は高速ランダムアクセスメモリ（ＲＡＭ：Ｒａｎｄｏｍ  Ａｃｃｅｓｓ  Ｍｅｍｏｒｙ）を含む可能性があり、非不安定なメモリ（ｎｏｎ−ｖｏｌａｔｉｌｅ  ｍｅｍｏｒｙ）をさらに含む可能性もあり、メモリは読み出し専用メモリ及びランダムアクセスメモリを含み、そしてプロセッサに必要なシグナリング又はデータ、プログラムなどを提供することができる。メモリの一部はさらに不揮発性ラインランダムアクセスメモリ（ＮＶＲＡＭ）を含むことができる。少なくとも一つのネットワークインタフェース１２０５（有線又は無線であってもよい）によって少なくとも一つの他のネットワーク要素との通信接続を実現する。
【０２８３】
いくつかの実施形態では、メモリ１２０６はプログラム１２０６１を記憶しており、プロセッサ１２０２は以下の操作を実行するためのプログラム１２０６１を実行する：
第一のアクセスネットワーク装置から送信された物理ダウンリンク制御チャネルをネットワークインタフェース１２０５を介して受信し、該物理ダウンリンク制御チャネルに端末装置のダウンリンクデータのスケジューリング情報が含まれ、該第一のアクセスネットワーク装置が該アクセスネットワーク装置セットに属し、該アクセスネットワーク装置セットが少なくとも一つのアクセスネットワーク装置を含み、且つ該端末装置が該少なくとも一つのアクセスネットワーク装置のカバレッジ内でハンドオーバーせずに移動することができ、
該スケジューリング情報に基づき、該第一のアクセスネットワーク装置から送信された該ダウンリンクデータをネットワークインタフェース１２０５を介して受信する。
【０２８４】
説明すべきものとして、該端末装置は具体的に上記実施例における端末装置であってもよく、且つ上記方法の実施例における端末装置に対応する各ステップ及び／又はプロセスを実行することに用いられてもよい。
【０２８５】
本出願の実施例による上記の技術的解決策から分かるように、端末装置はアクセスネットワーク装置セット内の第一のアクセスネットワーク装置から送信された物理ダウンリンク制御チャネルを受信し、該アクセスネットワーク装置セットが少なくとも一つのアクセスネットワーク装置を含み、且つ該端末装置は該少なくとも一つのアクセスネットワーク装置のカバレッジ内でハンドオーバーせずに移動することができ、且つ第一のアクセスネットワーク装置が該端末装置へ該ダウンリンクデータを送信し、これにより端末装置は上位層シグナリングの接続を復元せずにダウンリンクデータを受信し、それによってシステム効率が向上し、端末装置の電力消費が低減される。
【０２８６】
図１６に本出願の実施例によるネットワークエンティティの構造が示され、少なくとも一つのプロセッサ１３０２（例えばコンピューティングと処理能力を備えた汎用プロセッサＣＰＵ、デジタル信号プロセッサ（ＤＳＰ）、特定用途向け集積回路（ＡＳＩＣ）、フィールドプログラマブルゲートアレイ（ＦＰＧＡ）など）を備え、プロセッサがＯＢＵ装置における各モジュールとデバイスを管理及びスケジューリングする。また、少なくとも一つのネットワークインタフェース１３０５又は他の通信インタフェース、メモリ１３０６と少なくとも一つのバスシステム１３０３を備える。ＯＢＵの各部材はバスシステム１３０３を介して結合され、ここでバスシステム１３０３はデータバス、電源バス、制御バスと状態信号バスなどを含む可能性があるが、明確に説明するために、図において様々なバスはバスシステム１３０３として標識される。
【０２８７】
上記の本出願の実施例で開示される方法はプロセッサ１３０２に応用されてもよく、又はメモリ１３０６に記憶された実行可能モジュール、例えばコンピュータプログラムを実行することに用いられてもよい。メモリ１３０６は高速ランダムアクセスメモリ（ＲＡＭ：Ｒａｎｄｏｍ  Ａｃｃｅｓｓ  Ｍｅｍｏｒｙ）を含む可能性があり、非不安定なメモリ（ｎｏｎ−ｖｏｌａｔｉｌｅ  ｍｅｍｏｒｙ）をさらに含む可能性もあり、メモリは読み出し専用メモリ及びランダムアクセスメモリを含み、そしてプロセッサに必要なシグナリング又はデータ、プログラムなどを提供することができる。メモリの一部はさらに不揮発性ラインランダムアクセスメモリ（ＮＶＲＡＭ）を含むことができる。少なくとも一つのネットワークインタフェース１３０５（有線又は無線であってもよい）によって少なくとも一つの他のネットワーク要素との通信接続を実現する。
【０２８８】
いくつかの実施形態では、メモリ１３０６はプログラム１３０６１を記憶しており、プロセッサ１３０２は以下の操作を実行するためのプログラム１３０６１を実行する：
ネットワークインタフェース１３０５によってアクセスネットワーク装置セットを確定し、該アクセスネットワーク装置セットが少なくとも一つのアクセスネットワーク装置を含み、且つ該少なくとも一つのアクセスネットワーク装置のカバレッジ内で該端末装置はハンドオーバーせずに移動することができ、
ネットワークインタフェース１３０５を介してアクセスネットワーク装置セット内のアクセスネットワーク装置へダウンリンクデータを送信し、前記アクセスネットワーク装置が前記ダウンリンクデータを前記端末装置に送信するようにする。
【０２８９】
説明すべきものとして、該ネットワークエンティティは具体的に上記実施例におけるネットワークエンティティであってもよく、且つ上記方法の実施例におけるネットワークエンティティに対応する各ステップ及び／又はプロセスを実行することに用いられてもよい。
【０２９０】
本出願の実施例による上記の技術的解決策から分かるように、ネットワークエンティティは少なくとも一つのアクセスネットワーク装置を含むアクセスネットワーク装置セットを確定し、そしてアクセスネットワーク装置セット内のアクセスネットワーク装置へ該端末装置のダウンリンクデータを送信し、該アクセスネットワーク装置が該端末装置へ該ダウンリンクデータを送信し、該少なくとも一つのアクセスネットワーク装置のカバレッジ内で該端末装置はハンドオーバーせずに移動することができ、これにより端末装置は上位層シグナリングの接続を復元せずにダウンリンクデータを受信し、それによってシステム効率が向上し、端末装置の電力消費が低減される。
【０２９１】
本出願の実施例によるコンピュータ記憶媒体は、上記のいずれかの方法を示すためのプログラム命令を記憶することができる。
【０２９２】
選択可能に、該記憶媒体はメモリ１１０６、１２０６又は１３０６であってもよい。
【０２９３】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す
理解すべきものとして、本出願の様々な実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０２９４】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本出願の範囲を超えていると考えられるべきではない。
【０２９５】
当業者は便利且つ簡潔で説明するために、上述したシステム、装置とユニットの具体的な動作プロセスについて上記方法の実施例における対応するプロセスを参照できることを明確に理解でき、ここでは説明を省略する。
【０２９６】
本出願が提供するいくつかの実施例では、開示されるシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２９７】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０２９８】
また、本出願の各実施例における各機能ユニットは一つの処理ユニットに統合されてもよく、個々のユニットは単独で物理的に存在してもよく、２つ又は２つ以上のユニットは一つのユニットに統合されてもよい。
【０２９９】
前記機能はソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０３００】
以上は、本出願の具体的な実施形態だけであり、本出願の保護範囲はこれに制限されず、当業者が本出願に開示された技術範囲内で容易に想到し得る変化又は入れ替わりが全て本出願の保護範囲以内に含まれるべきである。したがって、本出願の保護範囲は特許請求の範囲によってに準拠するべきである。
【図１】
2019525538.tif 000003
【図２】
2019525538.tif 000004
【図３】
2019525538.tif 000005
【図４】
2019525538.tif 000006
【図５】
2019525538.tif 000007
【図６】
2019525538.tif 000008
【図７】
2019525538.tif 000009
【図８】
2019525538.tif 000010
【図９】
2019525538.tif 000011
【図１０】
2019525538.tif 000012
【図１１】
2019525538.tif 000013
【図１２】
2019525538.tif 000014
【図１３】
2019525538.tif 000015
【図１４】
2019525538.tif 000016
【図１５】
2019525538.tif 000017
【図１６】
2019525538.tif 000018
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
データ伝送方法であって、
第一のアクセスネットワーク装置が端末装置へ物理ダウンリンク制御チャネルを送信し、前記物理ダウンリンク制御チャネルに前記端末装置のダウンリンクデータのスケジューリング情報が含まれ、前記第一のアクセスネットワーク装置が前記アクセスネットワーク装置セット内のいずれかのアクセスネットワーク装置であり、前記アクセスネットワーク装置セットが少なくとも一つのアクセスネットワーク装置を含み、且つ前記少なくとも一つのアクセスネットワーク装置のカバレッジ内で前記端末装置がハンドオーバーせずに移動することができることと、
前記第一のアクセスネットワーク装置が前記端末装置へ前記ダウンリンクデータを送信することとを含む、前記データ伝送方法。
【請求項２】
前記第一のアクセスネットワーク装置が前記端末装置へ前記ダウンリンクデータを送信する前に、前記方法はさらに、
前記第一のアクセスネットワーク装置がネットワークエンティティから送信された前記ダウンリンクデータを受信することを含み、
前記ネットワークエンティティはコアネットワーク装置であり、又は、
前記ネットワークエンティティは前記アクセスネットワーク装置セット内の第二のアクセスネットワーク装置であることを特徴とする
請求項１に記載の方法。
【請求項３】
前記方法はさらに、
前記第一のアクセスネットワーク装置がネットワークエンティティから送信されたリソース配置情報を受信し、前記リソース配置情報が、前記端末装置がアップリンクデータを送信するために用いられることと、
前記第一のアクセスネットワーク装置が前記端末装置へ前記リソース配置情報を送信することとを含み、
前記リソース配置情報は前記アップリンクデータの専用リソース及び／又はアクセスシーケンスを含むことを特徴とする
請求項１又は２に記載の方法。
【請求項４】
前記方法はさらに、
前記第一のアクセスネットワーク装置が前記端末装置から送信されたアップリンクデータを受信し、前記第一のアクセスネットワーク装置セット内の他のアクセスネットワーク装置へ第一の指示情報を送信し、前記第一の指示情報が前記端末装置へのダウンリンクデータの送信を停止することを示すことに用いられること、又は、
前記第一のアクセスネットワーク装置が前記端末装置から送信されたアップリンクデータを受信し、ネットワークエンティティへ第二の指示情報を送信し、前記第二の指示情報が、前記第一のアクセスネットワーク装置のみへ後続のダウンリンクデータを送信するようにネットワークエンティティに指示することに用いられ、ここで、端末に送信されるダウンリンクデータが前記ネットワークエンティティからのものであり、又は前記ネットワークエンティティを経由するものであることを含むことを特徴とする
請求項３に記載の方法。
【請求項５】
前記第一のアクセスネットワーク装置が端末装置へ物理ダウンリンク制御チャネルを送信する前に、前記方法はさらに、
前記第一のアクセスネットワーク装置が前記物理ダウンリンク制御チャネルの特徴情報を確定することと、
前記第一のアクセスネットワーク装置が前記端末装置へ前記特徴情報を送信し、前記特徴情報が前記物理ダウンリンク制御チャネルを受信するように前記端末装置に指示することに用いられることとを含み、
前記特徴情報は、前記第一のアクセスネットワーク装置が前記端末装置と上位層シグナリング接続をしてある時に配置されるものであることを特徴とする
請求項１−４のいずれか一項に記載の方法。
【請求項６】
前記第一のアクセスネットワーク装置が端末装置へ物理ダウンリンク制御チャネルを送信する前に、前記方法はさらに、
前記第一のアクセスネットワーク装置がネットワークエンティティから送信された前記物理ダウンリンク制御チャネルの特徴情報を受信することと、
前記第一のアクセスネットワーク装置が前記端末装置へ前記特徴情報を送信し、前記特徴情報が前記物理ダウンリンク制御チャネルを受信するように前記端末装置に指示することに用いられることとを含み、
前記特徴情報は前記ネットワークエンティティによって配置されることを特徴とする
請求項１−４のいずれか一項に記載の方法。
【請求項７】
前記スケジューリング情報は前記端末装置に対応する無線ネットワーク一時識別子（ＲＮＴＩ）によりスクランブルされたスケジューリング情報であり、前記ＲＮＴＩが前記アクセスネットワーク装置セット内の他のアクセスネットワーク装置の物理ダウンリンク制御チャネルに含まれるスクランブルスケジューリング情報のＲＮＴＩと同じであり、且つ前記ＲＮＴＩが、前記第一のアクセスネットワーク装置が前記端末装置と上位層シグナリング接続をしてある時に配置されるものであり、又は前記ＲＮＴＩがネットワークエンティティによって予め配置されて前記アクセスネットワーク装置セット内の各アクセスネットワーク装置に送信されたものであり、
前記第一のアクセスネットワーク装置が前記端末装置へ前記ダウンリンクデータを送信する前に、前記方法はさらに、
前記第一のアクセスネットワーク装置が前記端末装置へ前記ＲＮＴＩを送信し、前記ＲＮＴＩが、前記端末装置が前記スケジューリング情報を復調するために用いられることを含むことを特徴とする
請求項１−６のいずれか一項に記載の方法。
【請求項８】
データ伝送方法であって、
端末装置が第一のアクセスネットワーク装置から送信された物理ダウンリンク制御チャネルを受信し、前記物理ダウンリンク制御チャネルに前記端末装置のダウンリンクデータのスケジューリング情報が含まれ、前記第一のアクセスネットワーク装置が前記アクセスネットワーク装置セットに属し、前記アクセスネットワーク装置セットが少なくとも一つのアクセスネットワーク装置を含み、且つ前記端末装置が前記少なくとも一つのアクセスネットワーク装置のカバレッジ内でハンドオーバーせずに移動することができることと、
前記端末装置が前記スケジューリング情報に基づき、前記第一のアクセスネットワーク装置から送信された前記ダウンリンクデータを受信することとを含む、前記データ伝送方法。
【請求項９】
前記方法はさらに、
前記端末装置が前記第一のアクセスネットワーク装置から送信された前記リソース配置情報を受信し、前記リソース配置情報が、前記端末装置がアップリンクデータを送信するために用いられることと、
前記端末装置が前記リソース配置情報に基づき、前記第一のアクセスネットワーク装置へ前記アップリンクデータを送信することとを含むことを特徴とする
請求項８に記載の方法。
【請求項１０】
前記端末装置が前記第一のアクセスネットワーク装置から送信された前記リソース配置情報を受信することは、
前記端末装置が前記ダウンリンクデータ又は前記物理ダウンリンク制御チャネルに含まれる前記リソース配置情報を受信することを含むことを特徴とする
請求項９に記載の方法。
【請求項１１】
前記リソース配置情報は前記アップリンクデータの専用リソース及び／又はアクセスシーケンスを含むことを特徴とする
請求項９又は１０に記載の方法。
【請求項１２】
前記第一のアクセスネットワーク装置から送信された前記ダウンリンクデータを受信する前に、前記方法はさらに、
前記端末装置が前記第一のアクセスネットワーク装置から送信された無線ネットワーク一時識別子（ＲＮＴＩ）を受信することと、
前記端末装置が前記ＲＮＴＩに基づき、前記スケジューリング情報を復調することとを含むことを特徴とする
請求項８−１１のいずれか一項に記載の方法。
【請求項１３】
前記方法はさらに、
前記端末装置が前記第一のアクセスネットワーク装置の特徴情報を受信することを含み、
ここで、前記端末装置が第一のアクセスネットワーク装置から送信された物理ダウンリンク制御チャネルを受信することは、
前記端末装置が前記特徴情報に基づき、前記第一のアクセスネットワーク装置から送信された物理ダウンリンク制御チャネルを受信することを含み、
前記特徴情報は時間領域リソース情報、周波数領域リソース情報、サブ搬送波間隔情報及び／又はサブフレーム構造情報を含むことを特徴とする
請求項８−１２のいずれか一項に記載の方法。
【請求項１４】
前記ダウンリンクデータはユーザプレーンデータ又は制御プレーンデータであることを特徴とする
請求項８−１３のいずれか一項に記載の方法。
【請求項１５】
端末装置であって、
メモリと、
前記端末装置が、請求項８−１４のいずれか一項に記載の方法を実行するように、前記メモリに記憶される命令を実行するように構成されれるプロセッサと、を含む、前記端末装置。
【国際調査報告】
2019525538.tif 000019
2019525538.tif 000020
2019525538.tif 000021
2019525538.tif 000022